(57)【特許請求の範囲】
【請求項１】
テレビ放送を受信出力するテレビ受信機部と、通話機能及びデータ通信機能を有する携帯電話部とを備えたテレビ受信機一体型携帯電話装置であって、
前記携帯電話部の機能を通話モードとデータ通信モードとで切替える通信モード切替え手段と、
該通信モード切替え手段によって通話モードからデータ通信モードに切替え作動させられた前記携帯電話部を介して、通話相手が受信出力可能なテレビ番組全てのＥＰＧ情報を通話相手から受信するＥＰＧ情報受信手段と、
前記ＥＰＧ受信取得手段によって取得された通話相手が受信出力可能なテレビ番組全てのＥＰＧ情報の中から、前記テレビ受信機部が受信出力するテレビ番組に対応するテレビ番組を特定する番組特定手段と、
該番組特定手段によって特定されたテレビ番組のＥＰＧ情報を通話相手に送出する番組ＥＰＧ情報送出手段とを備え、通話相手に視聴させるテレビ番組のＥＰＧ情報を設定可能であることを特徴とするテレビ受信機一体型携帯電話装置。
【請求項２】
テレビ放送を受信出力するテレビ受信機部と、データ通信機能を有する通信部とを備えたテレビ受信機であって、
前記テレビ受信機部が受信出力可能なテレビ番組全てのＥＰＧ情報を取得するＥＰＧ情報取得手段と、
該ＥＰＧ情報取得手段によって取得した受信出力可能なテレビ番組全てのＥＰＧ情報を通信相手に送出するＥＰＧ情報送出手段と、
通信相手によって特定されたテレビ番組のＥＰＧ情報を受信する番組ＥＰＧ情報受信手段と、
該番組ＥＰＧ情報受信手段によって受信された特定されたテレビ番組のＥＰＧ情報を前記テレビ受信機部に受信設定するＥＰＧ情報設定手段とを備え、通信相手が指定したテレビ番組のＥＰＧ情報が自動設定可能であることを特徴とするテレビ受信機。
【請求項３】
テレビ放送を受信出力するテレビ受信機部と、通話機能及びデータ通信機能を有する携帯電話部とを備えたテレビ受信機一体型携帯電話装置であって、
前記携帯電話部の機能を通話モードとデータ通信モードとで切替える通信モード切替え手段と、
該通信モード切替え手段によって通話モードからデータ通信モードに切替え作動させられた前記携帯電話部を介して、通話相手が受信出力可能なテレビ番組全てのＥＰＧ情報を通話相手から受信するＥＰＧ情報受信手段と、
前記ＥＰＧ受信取得手段によって取得された通話相手が受信出力可能なテレビ番組全てのＥＰＧ情報の中から、前記テレビ受信機部が受信出力するテレビ番組に対応するテレビ番組を特定する番組特定手段と、
該番組特定手段によって特定されたテレビ番組のＥＰＧ情報を通話相手に送出する番組ＥＰＧ情報送出手段と、
前記テレビ受信機部が受信出力可能なテレビ番組全てのＥＰＧ情報を取得するＥＰＧ情報取得手段と、
該ＥＰＧ情報取得手段によって取得した受信出力可能なテレビ番組全てのＥＰＧ情報を通話相手に送出するＥＰＧ情報送出手段と、
通話相手によって特定されたテレビ番組のＥＰＧ情報を受信する番組ＥＰＧ情報受信手段と、
該番組ＥＰＧ情報受信手段によって受信された特定されたテレビ番組のＥＰＧ情報を前記テレビ受信機部に受信設定するＥＰＧ情報設定手段とを備え、通話相手に視聴させるテレビ番組のＥＰＧ情報を設定可能であるとともに、通話相手が指定したテレビ番組のＥＰＧ情報が自動設定可能であることを特徴とするテレビ受信機一体型携帯電話装置。
【請求項４】
前記ＥＰＧ情報設定手段に設定されたＥＰＧ情報に該当するテレビ番組が前記テレビ受信機部で受信できるか否かの確認結果を報知する選局確認結果報知手段を備えていることを特徴とする請求項２記載のテレビ受信機。
【請求項５】
前記ＥＰＧ情報設定手段に設定されたＥＰＧ情報に該当するテレビ番組が前記テレビ受信機部で受信できるか否かの確認結果を報知する選局確認結果報知手段を備えていることを特徴とする請求項３記載のテレビ受信機一体型携帯電話装置。
【請求項６】
相手に送信した選局情報又はＥＰＧ情報に該当するテレビ番組を受信できるか否かの相手側選局確認結果を受信して報知する相手側選局確認結果報知手段を備えていることを特徴とする請求項１又は３記載のテレビ受信機一体型携帯電話装置。
【請求項７】
前記ＥＰＧ情報設定手段に設定されたＥＰＧ情報に該当するテレビ番組が今後に放送される番組である場合には、その視聴を予約する視聴予約手段と、
前記ＥＰＧ情報設定手段に設定されたＥＰＧ情報に該当するテレビ番組が今後に放送される番組である場合には、その録画を予約する録画予約手段とを備えていることを特徴とする請求項２記載のテレビ受信機。
【請求項８】
前記ＥＰＧ情報設定手段に設定されたＥＰＧ情報に該当するテレビ番組が今後に放送される番組である場合には、その視聴を予約する視聴予約手段と、
前記ＥＰＧ情報設定手段に設定されたＥＰＧ情報に該当するテレビ番組が今後に放送される番組である場合には、その録画を予約する録画予約手段とを備えていることを特徴とする請求項３記載のテレビ受信機一体型携帯電話装置。
【請求項９】
前記通信モード切替え手段によって前記携帯電話部の機能が通話モードからデータ通信モードに切替えられた後に、選局情報又はＥＰＧ情報送出のための処理手順を指定する付加情報データを通話相手に送信することを特徴とする請求項１又は３記載のテレビ受信機一体型携帯電話装置。
【発明の詳細な説明】
【技術分野】
【０００１】
本発明は、通信手段を備えたテレビ受信機、携帯電話、及びテレビ受信機が一体的に設けられたテレビ受信機一体型携帯電話装置に関する。
【背景技術】
【０００２】
従来、特開２００２−２５２７８９号記載の携帯型端末装置やタイマー予約装置のように、通信回線を利用してＥＰＧ（Electronic Program Guide）データを取得し、そのデータを有線又は無線でテレビジョン受信機（テレビ受信機）またはＶＴＲ（Video Tape Recorder）等の固定受信装置に送信し、特定の番組視聴や録画予約を可能にする方法が提案されている。
【０００３】
日本においては、１９９６年より通信衛星（Communication Satellite）を使用したＣＳデジタル放送が開始され、２０００年末より放送衛星（Broadcasting Satellite）を使用したＢＳデジタル放送が開始された。また、２００３年には地上波を使用した地上デジタル放送が開始される。
【０００４】
地上デジタル放送では、従来の地上アナログ放送では非常に困難であった携帯端末、移動体での放送受信が可能になるため、携帯電話装置にテレビジョン受信機能がビルドインされたテレビ受信機一体型携帯電話装置が実用化される。
【０００５】
【特許文献１】特開２００２−２５２７８９号公報
【発明の開示】
【発明が解決しようとする課題】
【０００６】
今後、テレビ受信機一体型携帯電話装置が実用化された場合、ユーザが、自身のテレビ受信機一体型携帯電話装置で、現在視聴中であるテレビ番組の情報を通話相手に送信したり、現在視聴中であるテレビ番組と同じ番組を通話相手も視聴できるように、通話相手のテレビ受信機やテレビ受信機一体型携帯電話装置を視聴設定する場面が想定される。
【０００７】
例えば、地上デジタル放送を視聴できるテレビ受信機一体型携帯電話装置の場合は、ユーザ自身が受信可能な放送サービスエリアと、通話相手が受信可能な放送サービスエリアとが同じであるとは限らず、しかも、ユーザ及び通話相手とも、いつも同じ放送サービスエリア内で地上デジタル放送を受信しているとは限らない。
【０００８】
上述の特許文献１に記載された携帯型端末装置の場合は、視聴設定や録画予約をする相手先の受信機が据置き型の録画装置で、既に設置場所が判明している固定受信機であることを前提としているのに対し、相手方の受信機が場所を固定されない、通信手段を備えたテレビ受信機やテレビ受信機一体型携帯電話装置である場合は、相手方のテレビ受信機やテレビ受信機一体型携帯電話装置に送るべきＥＰＧ等の情報が、相手方の所在が判明していなければ特定できない、という問題点を有している。
【０００９】
また、テレビ受信機一体型携帯電話装置の場合は、バッテリの消費量が携帯電話装置単体の場合よりも多くなってくる。このため、うっかりして、テレビを長時間視聴してしまったため、電話したい時に電話ができなくなってしまう、という事態が生じる可能性もある。
【００１０】
本発明は、上記した問題点を鑑みてなされたもので、通話相手の受信可能な放送波に応じて、ユーザが特定したテレビ番組に該当するテレビ番組を通話相手に視聴させることができるテレビ受信機、携帯電話、及びテレビ受信機一体型携帯電話装置を提供することを目的とする。
【００１１】
また、本発明は、テレビ受信機一体型携帯電話装置を駆動するバッテリを、テレビ視聴機能よりも、携帯電話機能のために優先的に使用できるテレビ受信機一体型携帯電話装置を提供することを目的とする。
【課題を解決するための手段】
【００１２】
本発明のテレビ受信機一体型携帯電話装置は、テレビ放送を受信出力するテレビ受信機部と、通話機能及びデータ通信機能を有する携帯電話部とを備えたテレビ受信機一体型携帯電話装置であって、前記テレビ受信機部が受信出力するテレビ番組の選局情報やＥＰＧ情報を取得し、前記携帯電話部の機能を通話モードからデータ通信モードに切替えて、取得した選局情報やＥＰＧ情報を通話相手に送出することを特徴とする。
【００１３】
また、本発明のテレビ受信機は、テレビ放送を受信出力するテレビ受信機部と、データ通信機能を有する通信部とを備えたテレビ受信機であって、通話相手から送信されてくる通話相手が指定したテレビ番組の選局情報やＥＰＧ情報を受信し、これを前記テレビ受信機部に受信設定することを特徴とする。
【発明の効果】
【００１４】
本発明のテレビ受信機及びテレビ受信機一体型携帯電話装置によれば、以下の効果を奏する。
【００１５】
ユーザが本発明のテレビ受信機一体型携帯電話装置を用いて通話相手と通話を行っている場合、通話相手のテレビ受信機又はテレビ受信機一体型携帯電話装置に、ユーザ自身がテレビ受信機一体型携帯電話装置で特定したテレビ番組に該当する番組を自動的に受信させることが可能になり、通話におけるテレビ番組の内容を話題にする場面での使い勝手が大幅に向上する。
【００１６】
その際も、ユーザ側の放送サービスエリア（放送地域）でユーザが特定したテレビ番組を放送している放送波（放送局）と同系列の関係にある、通話相手側の放送サービスエリア（放送地域）における放送波（放送局）を特定し、ユーザが特定したテレビ番組に該当する番組を通話相手側で受信できる構成としたので、通話相手の放送地域がユーザの放送地域と異なっていても、通話相手はユーザが特定したテレビ番組に該当する番組を誤り無く受信することができる。
【００１７】
そして、その選局もユーザ側の所定操作によって自動的に設定されるので、通話相手はユーザが特定したテレビ番組に該当する番組を、選局操作の必要なく、容易に受信することができる。
【００１８】
また、ユーザ側及び通話相手側それぞれのＥＰＧ情報により、ユーザが話題のテレビ番組を特定してその番組のＥＰＧ情報を含む選局情報を通話相手に送出する構成にあっては、ユーザが特定したテレビ番組又は該当する番組が通話相手の放送地域ではユーザの放送地域とは別の時間に放送される場合であっても、通話相手のテレビ受信機やテレビ受信機一体型携帯電話装置にユーザ側からその視聴予約や録画予約を行うことができ、通話相手の視聴忘れを防止できる。
【００１９】
また、ユーザが特定したテレビ番組に該当する番組を通話相手が視聴できるか否かは、通話相手のテレビ受信機やテレビ受信機一体型携帯電話装置にその確認結果が報知され、しかもユーザのテレビ受信機一体型携帯電話装置にも通話相手のテレビ受信機やテレビ受信機一体型携帯電話装置からこの確認結果が通知されるので、通話相手及びユーザとも、通話相手側でのユーザが特定したテレビ番組に該当する番組が視聴可能であるか否かを迅速かつ容易に確認することができる。
【００２０】
また、ユーザ側のテレビ受信機一体型携帯電話装置では、通話相手の装置情報に基づいて、通話相手側でテレビ視聴できない場合は、ユーザ側で通話相手に視聴させたいテレビ番組の内容を記録し、その記録した番組内容を静止画又は動画データとして通話相手の装置に送信することができるため、通話相手の装置がテレビ受信機能を備えていない携帯電話装置である等の場合であっても、通話相手にユーザが特定したテレビ番組を確実に視聴させることができる。
【００２１】
さらに、ユーザが特定したテレビ番組を視聴させたい相手との電話がつながらない場合には、ユーザが特定したテレビ番組の選局情報を、通話相手のテレビ受信機又はテレビ受信機一体型携帯電話装置にメールで通知することも可能である。
【００２２】
さらには、テレビ受信機一体型携帯電話装置において、携帯電話部用のバッテリをテレビ受信機部用のバッテリと分離する構成を採用したり、携帯電話部とテレビ受信機部で同じバッテリを共用する場合であっても、テレビ受信のために使用可能なバッテリの電圧の閾値を携帯電話のために使用可能なバッテリの電圧の閾値と同じか、より高い電圧に設定することにより、テレビを連続視聴してしまって、電話をかけたい時にかけられなくなってしまうといった状況を回避できる。
【発明を実施するための最良の形態】
【００２３】
以下、本発明の実施の形態について、図面に基づいて、詳細に説明する。
＜第１の実施の形態＞
図１は、本発明の第１の実施の形態によるテレビ受信機一体型携帯電話装置の構成図である。
【００２４】
本実施の形態によるテレビ受信機一体型携帯電話装置１０１は、テレビ受信機部２００及び携帯電話部３００を備えて構成されている。
【００２５】
テレビ受信機部２００は、チューナ／復調部２０１、選局情報取得手段２０２、選局情報格納手段２０３、選局情報設定手段２０４、チューナプリセットデータ取得手段２０５、同系列局特定手段２０６、テレビ受信機部専用バッテリ２２８、制御部／信号処理部２３１、不揮発性メモリ２３２、ＲＡＭ２３３、ＲＯＭ２３４、アンテナ２４１、テレビ受信機表示部２４２を備えて構成されている。
【００２６】
一方、携帯電話部３００は、無線送受信回路部３０１、選局情報受信手段３０２、選局情報送出手段３０３、基地局データ受信手段３０５、基地局データ格納手段３０６、基地局データ送出手段３０７、地域コード変換手段３０８、通信モード切替え手段３０９、メール受信手段３１９、メール送信手段３２０、選局確認手段３２１、選局情報抽出手段３２２、携帯電話部専用バッテリ３２８、制御部／信号処理部３３１、不揮発性メモリ３３２、ＲＡＭ３３３、ＲＯＭ３３４、アンテナ３４１、携帯電話表示部３４２、マイク／スピーカ３４３、操作部３４４を備えて構成されている。
【００２７】
そして、テレビ受信機部２００と携帯電話部３００との間は、制御部／信号処理部２３１，３３１同士が互いにデータ伝送可能な構成になっている。
【００２８】
このように構成されたテレビ受信機一体型携帯電話装置１０１では、テレビ番組の視聴や、通話及びデータ通信は、次のように行われる。
【００２９】
まず、テレビ番組の視聴の場合、テレビ放送波は、テレビ受信機部２００のアンテナ２４１で受信され、チューナ／復調部２０１で検波，復調，誤り訂正といった処理が施され、ＭＰＥＧ（Motion Picture Expert Group）２方式のトランスポートストリームＴＳが得られる。制御部／信号処理部２３１では、このトランスポートストリームＴＳから所望の番組のパケットデータが分離され、ＭＰＥＧ２方式で圧縮された映像データ、音声データの復号が行われる。復号された映像データは、テレビ受信機表示部２４２に供給されて映像信号が表示出力され、復号された音声データは、携帯電話部３００の制御部／信号処理部３３１に供給され、マイク／スピーカ３４３から音声信号が音声出力される。
【００３０】
これに対して、通話及びデータ通信の場合、携帯電話基地局７００からの通信電波は、携帯電話部３００のアンテナ３４１で受信され、無線送受信回路部３０１で検波，復調，誤り訂正といった処理が施された後、制御部／信号処理部３３１で音声データや受信データの復号といった処理が施され、マイク／スピーカ３４３から通話音声が音声出力され、またユーザに提示すべきデータ内容が携帯電話表示部３４２に表示出力される。また、マイク／スピーカ３４３からの音声入力や、操作部３４４から入力されたオンフック，ダイヤル等のユーザによるキー入力は、制御部／信号処理部３３１で音声データや送信データの符号化等の処理が施された後、無線送受信回路部３０１に入力されて変調され、アンテナ３４１から携帯電話基地局７００にその通信電波が送出される。
【００３１】
次に、本実施の形態のテレビ受信機一体型携帯電話装置１０１において、ユーザが現在視聴中のテレビ番組の情報を通話相手に送信する場合の番組情報伝達構成について、詳細に説明する。
【００３２】
なお、その説明に当たって、図１に示した本実施の形態によるテレビ受信機一体型携帯電話装置１０１及びその各部に関し、ユーザ側すなわち番組情報送信局側のテレビ受信機一体型携帯電話装置としてではなく、通話相手側すなわち番組情報受信局側のテレビ受信機一体型携帯電話装置として機能する場合については、図１の各部に付した符号数字にダッシュ（ ’）を付して表わし、番組情報送信局側である場合と番組情報受信局側である場合とで区別して説明する。
【００３３】
本実施の形態によるテレビ受信機一体型携帯電話装置１０１による番組情報伝達構成に関して、図１及び図２を参照しながら説明する。
【００３４】
本実施の形態の番組情報伝達構成では、ユーザが、テレビ受信機一体型携帯電話装置１０１でテレビ番組を視聴しているときに、着呼又は発呼によって特定の相手と通話を行うようになった場合に、相手方のテレビ受信機一体型携帯電話装置１０１’に、ユーザ自身が視聴しているテレビ番組を放送している放送波と同じ放送波を選局させる状況を想定している。
【００３５】
図２は、本実施の形態によるテレビ受信機一体型携帯電話装置における番組情報伝達構成を示すフローチャートである。
【００３６】
ユーザ側、すなわち番組情報送信局側のテレビ受信機一体型携帯電話装置１０１では、テレビ受信機部２００によるテレビ放送の視聴中に、携帯電話部３００によって通話が行われている場合は、テレビ受信機部２００の選局情報取得手段２０２が、現在視聴中のテレビ番組を放送している放送波の選局情報を取得する（ステップＳ１０１）。この取得した選局情報は、制御部／信号処理部２３１によって、選局情報格納手段２０３に記録される。
【００３７】
ここで、選局情報取得手段２０２による選局情報の取得は、現在視聴中のテレビ番組を放送している放送波について、例えば、ＭＰＥＧ２システム方式によってパケット単位で多重化されたデータに含まれるＰＳＩ情報（Program Specific Information、番組特定情報）の中より、ネットワークを識別するための“network_id”（ネットワーク識別）、トランスポートストリームＴＳを識別するための“transport_stream_id”（トランスポートストリーム識別）、チャンネル（サービス）を識別するための“service_id”（サービス識別）が選択されて行われる。
【００３８】
したがって、ユーザ及びその通話相手が同じ放送地域にいる場合であれば、現在視聴中の番組の選局情報として取得した、これら“network_id”，“transport_stream_id”，及び“service_id”を、通話相手側すなわち番組情報受信局側のテレビ受信機一体型携帯電話装置１０１’のテレビ受信機部２００’で選択しさえすれば、通話相手側でも、ユーザが現在視聴しているテレビ番組の放送波を選局可能になる。
【００３９】
そこで、ユーザは、自身が視聴しているテレビ番組を放送している放送波と同じ放送波を通話相手側に選局させたい場合は、テレビ受信機一体型携帯電話装置１０１の携帯電話部３００の通信モード切替え手段３０９を、通話モードからデータ通信モードに切替える（ステップＳ１０２）。この切替えは、例えば、ユーザ側のテレビ受信機一体型携帯電話装置１０１で、その携帯電話部３００の操作部３４４をユーザが所定操作することによって行われる。
【００４０】
これにより、テレビ受信機一体型携帯電話装置１０１では、通信モード切替え手段３０９が制御部／信号処理部３３１を通話モードからデータ通信モードに切替え、通話相手側のテレビ受信機一体型携帯電話装置１０１’との間でデータ通信モードを確立する。
【００４１】
ユーザ側のテレビ受信機一体型携帯電話装置１０１では、通話相手側とのデータ通信モードが確立されると、携帯電話部３００の制御部／信号処理部３３１が、テレビ受信機部２００の制御部／信号処理部２３１を介して、選局情報格納手段２０３に記録されている選局情報（“network_id”，“transport_stream_id”，及び“service_id”）を読み出し、選局情報送出手段３０３に供給する。
【００４２】
選局情報送出手段３０３は、この供給された選局情報に基づき、通話相手側のテレビ受信機一体型携帯電話装置１０１’への選局情報送出データを生成する。制御部／信号処理部３３１は、この生成した選局情報送出データに符号化といった必要な処理を施し、無線送受信回路部３０１に供給する。無線送受信回路部３０１は、この必要な処理が施された選局情報送出データを変調し、アンテナ３４１から携帯電話基地局７００に向けて選局情報送出データを含む通信電波を送出する（ステップＳ１０３）。
【００４３】
これに対し、通信モード切替え手段３０９の作動によってユーザ側のテレビ受信機一体型携帯電話装置１０１との間でデータ通信モードが確立された通話相手側のテレビ受信機一体型携帯電話装置１０１’では、携帯電話基地局７００’から送信される通信電波は、携帯電話部３００’のアンテナ３４１’により受信され、無線送受信回路３０１’で検波，復調，誤り訂正といった必要な処理が施され、制御部／信号処理部３３１’に供給される。
【００４４】
制御部／信号処理部３３１’では、受信データの復号が行われ、復号された受信データは選局情報受信手段３０２’に供給され、選局情報（“network_id”，“transport_stream_id”，及び“service_id”）の受信が行われる。選局情報受信手段３０２’によって受信された選局情報は、制御部／信号処理部３３１’により不揮発性メモリ３３２’又はＲＡＭ３３３’に記録される（ステップＳ１０４）。
【００４５】
テレビ受信機部２００’の制御部／信号処理部２３１’は、制御部／信号処理部３３１’を介して、この不揮発性メモリ３３２’又はＲＡＭ３３３’に記録されたユーザ側からの選局情報（“network_id”，“transport_stream_id”，及び“service_id”）を読み出し、選局情報設定手段２０４’によりチューナ／復調部２０１’を設定する（ステップＳ１０５）。
【００４６】
そして、テレビ受信機部２００’の制御部／信号処理部２３１’は、選局情報設定手段２０４’により設定されるチューナ／復調部２０１’の受信可能な放送チャンネル（放送波）に、ユーザが視聴中の番組があるか否かの確認を行う（ステップＳ２１２）。
【００４７】
この場合、ユーザが視聴中の番組があるか否かの確認は、例えば、選局情報設定手段２０４’がチューナ／復調部２０１’を調整して、通話相手がいる放送地域で受信可能な放送チャンネルをその周波数の低い順から順次受信し、制御部／信号処理部２３１が、各放送チャンネルの受信毎に、その多重化されたデータに含まれるＰＳＩ情報（Program Specific Information、番組特定情報）の中にユーザ側からの選局情報（“network_id”，“transport_stream_id”，及び“service_id”）があるか否かを確認することによって行われる（ステップＳ１０６）。
【００４８】
この確認において、例えば、ユーザとその通話相手とが同一の放送地域にいて、選局情報設定手段２０４’によって設定された受信可能な放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０１と同じテレビ番組を視聴可能な状態にする（ステップＳ１０７）。
【００４９】
これにより、テレビ受信機表示部２４２’には、ユーザ側で視聴しているテレビ番組と同じテレビ番組が表示され、通話相手側のテレビ受信機一体型携帯電話装置１０１’でもユーザ側と同じテレビ番組の視聴が開始できるようになる。
【００５０】
一方、この確認において、例えば、ユーザとその通話相手とが異なる放送地域にいて、選局情報設定手段２０４’によって設定された受信可能な放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示すメッセージを画面表示する（ステップＳ１０８）。
【００５１】
この表示メッセージの例としては、『＊＊＊＊さんより指定された番組（※※※※）は受信できません』といった表示である。なお、このメッセージ表示に代えて、携帯電話部３００’の携帯電話表示部３４２’にアイコンを表示したり、マイク／スピーカ３４３’から音声でメッセージ等を流したりしてもよい。また、携帯電話表示部３００’の画面特定部分の色を変えたり、ＬＥＤを点灯させたり、フラッシングさせたりしてもよい。さらには、図１では図示省略した着信報知のための振動手段や鳴音手段を作動させることによって、テレビ受信機一体型携帯電話装置１０１’の携帯者である通話相手に明示的に知らせるようにしてもよい。
【００５２】
また、このテレビ受信機部２００’の制御部／信号処理部２３１’による上記した確認結果は、携帯電話部３００’の制御部／信号処理部３３１’を介し、選局確認手段３２１’に供給される。
【００５３】
選局確認手段３２１’は、この確認結果に基づいてユーザ側への選局確認送出データを生成し、制御部／信号処理部３３１’は、この生成された選局確認送出データに符号化等の必要な処理を施して無線送受信回路部３０１’で変調し、アンテナ３４１’から携帯電話基地局７００’に向けて送出する（ステップＳ１０９）。
【００５４】
ユーザ側のテレビ受信機一体型携帯電話装置１０１の携帯電話部３００では、携帯電話基地局７００から送信される通信電波はアンテナ３４１で受信され、無線送受信回路３０１によって検波，復調，誤り訂正といった必要な処理を施され、制御部／信号処理部３３１に供給される。
【００５５】
制御部／信号処理部３３１では、受信データの復号が行われ、復号された受信データは選局確認手段３２１に供給され、通話相手側における選局確認結果の受信が行われる。選局確認手段３２１は、相手側のテレビ受信機一体型携帯電話装置１０１’で、ユーザ側の選局情報で指定された番組の選局ができ、ユーザ側と同じテレビ番組が視聴可能であるか否かの選局確認結果を、携帯電話部３００の制御部／信号処理部３３１を介して、テレビ受信機部２００の制御部／信号処理部２３１に供給する。
【００５６】
テレビ受信機部２００の制御部／信号処理部２３１は、通話相手がユーザによって指定された番組が視聴できた又はできなかったことを示すメッセージを、テレビ受信機表示部２４２に表示する（ステップＳ１１０）。
【００５７】
なお、このメッセージ表示の代わりに、携帯電話部３００の携帯電話表示部３４２にアイコンを表示したり、マイク／スピーカ３４３から音声でメッセージ等を流したりしてもよい。また、携帯電話表示部３４２の画面特定部分の色を変えたり、ＬＥＤを点灯させたり、フラッシングさせたりしてもよい。さらには、図１では図示省略した着信報知のための振動手段や鳴音手段を作動させることによって、テレビ受信機一体型携帯電話装置１０１の携帯者であるユーザに明示的に知らせるようにしてもよい。
【００５８】
また、この通話相手から送信される選局確認結果の受信及び報知に対応して、ユーザ側のテレビ受信機一体型携帯電話装置１０１では、携帯電話部３００の通信モード切替え手段３０９がデータ通信モードから通話モードに切替えられ、その制御部／信号処理部３３１も、データ通信モードから通話モードに切替えられ、通話相手側のテレビ受信機一体型携帯電話装置１０１’との間で通話モードを確立する（ステップＳ１１１）。
【００５９】
これにより、ユーザ側のテレビ受信機一体型携帯電話装置１０１及び通話相手側のテレビ受信機一体型携帯電話装置１０１’は、通信モードから通話モードに自動的復旧し、ユーザ及びその通話相手は、通話を再開することができる。
【００６０】
このように、本実施の形態によるテレビ受信機一体型携帯電話装置１０１の番組情報伝達構成によれば、通話相手にユーザが現在視聴中の番組の選局情報を送信し、相手側のテレビ受信機一体型携帯電話装置１０１’に、ユーザが視聴しているテレビ番組を放送している放送波と同じ放送波を選局させ、通話相手にユーザが視聴しているテレビ番組を設定することが容易にできる。
【００６１】
さらに、通話相手は、ユーザによって指定された番組が視聴可能であるか否かを確認でき、さらにユーザ側に通知することによって、ユーザ側も相手方が視聴可能であるか否かを確認できる。
【００６２】
＜第２の実施の形態＞
次に、本発明の第２の実施の形態によるテレビ受信機一体型携帯電話装置１０２の番組情報伝達構成に関して説明する。
【００６３】
なお、本実施の形態のテレビ受信機一体型携帯電話装置１０２の構成は、図１に示したテレビ受信機一体型携帯電話装置１０１とはテレビ受信機部２００及び携帯電話部３００における制御部／信号処理部２３１，３３１による各部の制御構成が異なるものの、装置各部の個別構成については図１に示したテレビ受信機一体型携帯電話装置１０１と同一又は同様であるので、同一符号を付してその説明は省略する。
【００６４】
そこで、本発明の第２の実施の形態によるテレビ受信機一体型携帯電話装置１０２の番組情報伝達構成に関して、図１及び図３を参照しながら説明する。
【００６５】
本実施の形態のテレビ受信機一体型携帯電話装置１０２では、ユーザが、テレビ受信機一体型携帯電話装置１０２でテレビ番組を視聴しているときに、着呼又は発呼に基づいて特定の相手と通話を行うようになった場合に、通話相手のテレビ受信機一体型携帯電話装置１０２’に、ユーザ自身が視聴しているテレビ番組を放送している放送波と同系列局の放送波を選局させる番組情報伝達構成になっている。
【００６６】
図３は、本実施の形態によるテレビ受信機一体型携帯電話装置における番組情報伝達構成を示すフローチャートである。
【００６７】
ユーザ側、すなわち番組情報送信局側のテレビ受信機一体型携帯電話装置１０２では、第１の実施の形態のテレビ受信機一体型携帯電話装置１０１の場合と同様に、テレビ受信機部２００によるテレビ放送の視聴中に、携帯電話部３００によって通話が行われている場合は、テレビ受信機部２００の選局情報取得手段２０２によって、現在視聴中のテレビ番組を放送している放送波の選局情報の取得が行われる（ステップＳ２０１）。この取得された選局情報は、選局情報格納手段２０３に記録される。
【００６８】
ここで、選局情報取得手段２０２による選局情報の取得は、現在視聴中のテレビ番組を放送している放送波について、例えば、ＭＰＥＧ２システム方式で多重化されたデータに含まれるＰＳＩ情報の中より、ネットワークを識別するための“network_id”（ネットワーク識別）、トランスポートストリームＴＳを識別するための“transport_stream_id”（トランスポートストリーム識別）、チャンネル（サービス）を識別するための“service_id”（サービス識別）が選択されて行われる。
【００６９】
次に、ユーザは、自分が視聴しているテレビ番組を放送している放送波と同系列局の放送波を通話相手側に選局させたい場合は、テレビ受信機一体型携帯電話装置１０２の携帯電話部３００の通信モード切替え手段３０９を、通話モードからデータ通信モードに切替える（ステップＳ２０２）。この切替えは、例えば、ユーザ側のテレビ受信機一体型携帯電話装置１０２で、その携帯電話部３００の操作部３４４をユーザが所定操作することにより行われる。
【００７０】
これにより、ユーザ側のテレビ受信機一体型携帯電話装置１０２では、携帯電話部３００の通信モード切替え手段３０９がデータ通信モードに切替わり、その制御部／信号処理部３３１も、通話モードからデータ通信モードに切替えられ、通話相手側のテレビ受信機一体型携帯電話装置１０２’との間でデータ通信モードを確立する。
【００７１】
そして、ユーザ側のテレビ受信機一体型携帯電話装置１０２では、通話相手側とのデータ通信モードが確立されると、本実施の形態の場合は、携帯電話部３００の制御部／信号処理部３３１は、通話相手側の登録基地局データの送信要求を生成し、この生成した送信要求に符号化といった必要な処理を施した後、無線送受信回路部３０１で変調し、アンテナ３４１からこの登録基地局データの送信要求を含む通信電波を携帯電話基地局７００（ユーザ側の登録基地局に対応する）に向けて送出する（ステップＳ２０３）。
【００７２】
これに対し、同じくユーザ側との間でデータ通信モードが確立された通話相手側のテレビ受信機一体型携帯電話装置１０２’の携帯電話部３００’では、携帯電話基地局７００’（相手側の登録基地局に対応する）から送信される通信電波は、アンテナ３４１’で受信され、無線送受信回路３０１’によって検波，復調，誤り訂正といった必要な処理が施され、制御部／信号処理部３３１’に供給される。
【００７３】
制御部／信号処理部３３１’では、通信データの復号といった処理が行われ、復号された通信データが通話相手であるユーザ側からの登録基地局データの送信要求である場合は、これを基地局データ送出手段３０７’に供給する。
【００７４】
その一方で、通話相手側のテレビ受信機一体型携帯電話装置１０２’では、制御部／信号処理部３３１’が、携帯電話基地局７００’との間で交換される位置情報に基づいて、自身が位置登録をした携帯電話基地局７００’のデータを、基地局データ格納手段３０６’に記録している（ステップＳ２０４）。
【００７５】
したがって、ユーザ側からの登録基地局データの送信要求が供給された基地局データ送出手段３０７’は、制御部／信号処理部３３１’を介して、基地局データ格納手段３０６’に記録した登録基地局データ（通話相手自身が現在位置登録している基地局７００’の識別情報）を読み出し、登録基地局送信データを生成する。この生成された登録基地局送信データは、制御部／信号処理部３３１’により符号化といった必要な処理が施され、無線送受信回路部３０１’で変調され、アンテナ３４１’から携帯電話基地局７００’（相手側の登録基地局）に向けて送出される（ステップＳ２０５）。
【００７６】
ユーザ側のテレビ受信機一体型携帯電話装置１０２の携帯電話部３００でも、携帯電話基地局７００から送信される通信電波はアンテナ３４１で受信され、無線送受信回路３０１によって検波，復調，誤り訂正といった処理が施され、制御部／信号処理部３３１に供給される。制御部／信号処理部３３１では、通信データの復号といった処理が行われ、復号された通信データが相手側からの登録基地局送信データである場合は、基地局データ受信手段３０５に供給される。
【００７７】
基地局データ受信手段３０５は、登録基地局送信データを受信すると、登録基地局送信データに含まれる通話相手の登録基地局データを、制御部／信号処理部３３１を介して、携帯電話部３００の不揮発性メモリ３３２又はＲＡＭ３３３に記録する（ステップＳ２０６）。
【００７８】
また、この相手側の登録基地局データは、制御部／信号処理部３３１により、地域コード変換手段３０８に供給される。
【００７９】
これにより、地域コード変換手段３０８は、この相手側のテレビ受信機一体型携帯電話装置１０２’の登録基地局データに基づいて、地上デジタルテレビ放送のチャンネル情報をプリセットするための対応する地域コードを求める（ステップＳ２０７）。この地域コードは、相手側のテレビ受信機一体型携帯電話装置１０２’（すなわち、登録基地局７００’）の所在場所をエリア内に含んだ放送地域の識別コードを表わすもので、例えば、地上デジタルテレビ放送で使用される、ほぼ都道府県単位に割り当てられている地域別割当てコード等が該当する。
【００８０】
地域コード変換手段３０８によって相手側の地域コードが取得されると、テレビ受信機部２００の制御部／信号処理部２３１は、携帯電話部３００の制御部／信号処理部３３１を介して、この地域コードの提供を受け、チューナプリセットデータ取得手段２０５に供給する。
【００８１】
チューナプリセットデータ取得手段２０５は、この供給された地域コードに対応するチューナプリセットデータを求める。このチューナプリセットデータは、地域コードによって表わされる地域内で受信可能な各放送波のチャンネル情報で、例えば、予め地域コード別に対応させてデータベース化されており、地域コードから対応するチューナプリセットデータを容易に求めることが可能になっている。
【００８２】
そして、チューナプリセットデータ取得手段２０５によって、通話相手のテレビ受信機一体型携帯電話装置１０２’の所在場所で受信可能な放送波全てのチャンネル情報が取得されると、制御部／信号処理部２３１は、同系列局特定手段２０６に、チューナプリセットデータ取得手段２０５が取得したチャンネル情報に基づいて、ユーザ側で現在視聴中のテレビ番組を放送している放送局の同系列局を特定させる。
【００８３】
同系列局特定手段２０６は、例えば、前述のステップＳ２０１により選局情報取得手段１２によって取得され、選局情報格納手段２０３に記録されているユーザが現在視聴中のテレビ番組の選局情報と、チューナプリセットデータ取得手段２０５が取得したチャンネル情報に含まれる放送局データとを比較し、このチューナプリセットデータ取得手段２０５が取得したチャンネル情報の中からユーザによって現在視聴中のテレビ番組を放送している放送波の同系列局を特定する（ステップＳ２０８）。
【００８４】
携帯電話部３００の制御部／信号処理部３３１には、この同系列局特定手段２０６によって特定された同系列局のチャンネル情報を含む、ユーザが視聴中のテレビ番組の選局情報が、テレビ受信機部２００の制御部／信号処理部２３１を介して提供される。
【００８５】
ここで、ユーザが視聴中のテレビ番組の選局情報としては、例えば、放送波のパケットデータのＰＳＩ情報の中に含まれる、ネットワークを識別するための“network_id”（ネットワーク識別）、ＴＳを識別するための“transport_stream_id”（トランスポートストリーム識別）、チャンネル（サービス）を識別するための“service_id”（サービス識別）を用いればよい。
【００８６】
携帯電話部３００の制御部／信号処理部３３１は、この同系列局のチャンネル情報を含む選局情報が提供されると、この選局情報を選局情報送出手段３０３に供給する。
【００８７】
選局情報送出手段３０３は、この選局情報に基づき、通話相手側のテレビ受信機一体型携帯電話装置１０２’への選局情報送出データを生成し、制御部／信号処理部３３１は、この生成された選局情報送出データに符号化といった処理を施し、無線送受信回路部３０１で変調してアンテナ３４１から携帯電話基地局７００に向けて送出する（ステップＳ２０９）。
【００８８】
これに対して、通話相手側のテレビ受信機一体型携帯電話装置１０２’の携帯電話部３００’では、携帯電話基地局７００’から送信される通信電波がアンテナ３４１’で受信され、無線送受信回路３０１’で検波，復調，誤り訂正といった必要な処理が施され、制御部／信号処理部３３１’に供給される。制御部／信号処理部３３１’では、受信データの復号が行われ、復号された受信データは選局情報受信手段３０２’に供給され、選局情報（“network_id”，“transport_stream_id”，及び“service_id”）の受信が行われる。選局情報受信手段３０２’によって受信された選局情報は、制御部／信号処理部３３１’により、テレビ受信機部２００’の制御部／信号処理部２３１’介して不揮発性メモリ２３２’又はＲＡＭ２３３’に記録される（ステップＳ２１０）。
【００８９】
テレビ受信機部２００’の制御部／信号処理部２３１’は、この不揮発性メモリ２３２’又はＲＡＭ２３３’に記録されたユーザ側からの選局情報（“network_id”，“transport_stream_id”，及び“service_id”）を読み出し、選局情報設定手段２０４’によって、この選局情報に含まれているユーザ側の同系列局特定手段２０６によって特定されたチャンネル情報の放送チャンネルに、チューナ／復調部２０１’を設定する（ステップＳ２１１）。
【００９０】
そして、テレビ受信機部２００’の制御部／信号処理部２３１’は、チャンネル情報としてユーザ側で特定されたチャンネルの放送波に、ユーザが視聴中の番組があるか否かの確認を行う（ステップＳ２１２）。このユーザが視聴中の番組があるか否かの確認は、例えば、この受信した放送チャンネルの多重化されたデータに含まれるＰＳＩ情報の中に、読み出したユーザ側からの選局情報（“network_id”，“transport_stream_id”，及び“service_id”）があるか否かを、制御部／信号処理部２３１が確認することによって行う。
【００９１】
この確認において、例えば、ステップＳ２０７でユーザ側が求めた地域コードに対応する放送地域において、選局情報設定手段２０４によって設定された同系列の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０２と同じテレビ番組を視聴可能な状態にする（ステップＳ２１３）。
【００９２】
これにより、テレビ受信機表示部２４２’には、ユーザ側で視聴しているテレビ番組と同じテレビ番組が表示され、通話相手側でもユーザ側と同じテレビ番組の視聴が開始できるようになる。
【００９３】
一方、この確認において、例えば、ステップＳ２０７でユーザ側が求めた地域コードに対応する放送地域において、選局情報設定手段２０４によって設定された同系列の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示すメッセージを画面表示する（ステップＳ２１４）。
【００９４】
この際における表示メッセージとしては、例えば『＊＊＊＊さんより指定された番組（※※※※）は受信できません』といったようなメッセージである。なお、このメッセージ表示の代わりに、携帯電話部３００’の携帯電話表示部３４２’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１では図示省略した着信報知のための振動手段や鳴音手段を作動させることによって、テレビ受信機一体型携帯電話装置１０２’の携帯者である通話相手に明示的に知らせるようにしてもよい。
【００９５】
また、このテレビ受信機部２００’の制御部／信号処理部２３１’による上記した確認結果は、携帯電話部３００’の制御部／信号処理部３３１’を介し、選局確認手段３２１’に供給される。
【００９６】
選局確認手段３２１’は、この確認結果に基づきユーザ側への選局確認送出データを生成し、制御部／信号処理部３３１’は、この生成された選局確認送出データに符号化等の必要な処理を施して無線送受信回路部３０１’で変調し、アンテナ３４１’から携帯電話基地局７００’に向けて送出する（ステップＳ２１５）。
【００９７】
ユーザ側のテレビ受信機一体型携帯電話装置１０２の携帯電話部２００では、携帯電話基地局７００から送信される通信電波はアンテナ３４１で受信され、無線送受信回路３０１によって検波，復調，誤り訂正といった必要な処理を施され、制御部／信号処理部３３１に供給される。
【００９８】
制御部／信号処理部３３１では、受信データの復号が行われ、復号された選局確認送出データは選局情報受信手段３０２に供給され、通話相手側による選局確認結果の受信が行われる。選局確認手段３２１は、『選局情報で指定された番組の選局ができ、視聴可能であるか否か』の選局確認結果を、携帯電話部３００の制御部／信号処理部３３１を介して、テレビ受信機部２００の制御部／信号処理部２３１に供給する。
【００９９】
テレビ受信機部２００の制御部／信号処理部２３１は、通話相手がユーザによって指定された番組が視聴できた又はできなかったことを示すメッセージを、テレビ受信機表示部２４２に表示する（ステップＳ２１６）。
【０１００】
なお、このメッセージ表示の代わりに、携帯電話部３００の携帯電話表示部３４２にアイコンを表示したり、マイク／スピーカ３４３から音声でメッセージ等を流したりしてもよい。また、携帯電話表示部３４２の画面特定部分の色を変えたり、ＬＥＤを点灯させたり、フラッシングさせたりしてもよい。さらには、図１では図示省略した着信報知のための振動手段や鳴音手段を作動させることによって、テレビ受信機一体型携帯電話装置１０２’の携帯者である通話相手に明示的に知らせるようにしてもよい。
【０１０１】
また、この通話相手から送信される選局確認結果の受信及び報知に対応して、ユーザ側のテレビ受信機一体型携帯電話装置１０２では、携帯電話部３００の通信モード切替え手段３０９がデータ通信モードから通話モードに切替えられ、その制御部／信号処理部３３１も、通話モードからデータ通信モードに切替えられ、通話相手側のテレビ受信機一体型携帯電話装置１０２’との間で通話モードを確立する（ステップＳ２１７）。
【０１０２】
これにより、ユーザ側のテレビ受信機一体型携帯電話装置１０２及び通話相手側のテレビ受信機一体型携帯電話装置１０２’は、通信モードから通話モードに自動的復旧し、ユーザ及びその通話相手は、通話を再開することができる。
【０１０３】
このように、本実施例のテレビ受信機一体型携帯電話装置１０２の番組情報伝達構成によれば、通話相手が、ユーザの受信している放送波を受信できない地域にいる場合であっても、通話相手の登録基地局データを送信してもらい、これに基づき相手が受信可能な同系列局の放送波を特定することにより、通話相手にユーザが視聴しているテレビ番組を放送している放送波と同系列局の放送波を選局させ、ユーザが視聴しているテレビ番組を設定することが容易にできる。
【０１０４】
さらに、通話相手は、ユーザによって指定された番組が視聴可能であるか否かを確認でき、さらにユーザ側に通知することによって、ユーザ側も相手方が視聴可能であるか否かを確認できる。
【０１０５】
＜第３の実施の形態＞
次に、本発明の第３の実施の形態によるテレビ受信機一体型携帯電話装置１０３の番組情報伝達構成に関して説明する。
【０１０６】
なお、本実施の形態のテレビ受信機一体型携帯電話装置１０３の構成は、図１に示したテレビ受信機一体型携帯電話装置１０１とはテレビ受信機部２００及び携帯電話部３００における制御部／信号処理部２３１，３３１による各部の制御構成が異なるものの、装置各部の個別構成については図１に示したテレビ受信機一体型携帯電話装置１０１と同一又は同様であるので、同一符号を付してその説明は省略する。
【０１０７】
そこで、本発明の第３の実施の形態によるテレビ受信機一体型携帯電話装置１０３の番組情報伝達構成に関して、図１及び図４を参照しながら説明する。
【０１０８】
本実施の形態のテレビ受信機一体型携帯電話装置１０３では、第２の実施の形態と同じく、ユーザが、テレビ受信機一体型携帯電話装置１０３でテレビ番組を視聴しているときに、着呼又は発呼に基づいて特定の相手と通話を行っている場合に、相手方のテレビ受信機一体型携帯電話装置１０３’に、ユーザが視聴しているテレビ番組を放送している放送波と同系列局の放送波を選局させる番組情報伝達構成になっている。
【０１０９】
図４は、本実施の形態によるテレビ受信機一体型携帯電話装置における番組情報伝達構成を示したフローチャートである。
【０１１０】
ユーザ側、すなわち番組情報送信側のテレビ受信機一体型携帯電話装置１０３では、テレビ受信機部２００によるテレビ放送の視聴中に、携帯電話部３００によって通話が行われている場合は、テレビ受信機部２００の選局情報取得手段２０２によって、現在視聴中のテレビ番組を放送している放送波の選局情報の取得が行われる（ステップＳ３０１）。この取得された選局情報は、選局情報格納手段２０３に記録される。
【０１１１】
ここで、選局情報には、例えば前述のＰＳＩ情報の中より、ネットワークを識別するための“network_id”（ネットワーク識別）と、ＴＳを識別するための“transport_stream_id”（トランスポートストリーム識別）と、チャンネル（サービス）を識別するための“service_id”（サービス識別）を用いればよい。
【０１１２】
また、ユーザ側のテレビ受信機一体型携帯電話装置１０３では、携帯電話部３００の制御部／信号処理部３３１が、携帯電話基地局７００との間で交換される位置情報に基づいて、現在位置登録をしている携帯電話基地局７００のデータを、基地局データ格納手段３０６に記録している（ステップＳ３０２）。
【０１１３】
そして、ユーザは、自分が視聴しているテレビ番組を放送している放送波と同系列局の放送波を通話相手側のテレビ受信機一体型携帯電話装置１０３’に選局させたい場合は、テレビ受信機一体型携帯電話装置１０３の携帯電話部３００の通信モード切替え手段３０９を、通話モードからデータ通信モードに切替える（ステップＳ３０３）。この切替えは、例えば、ユーザ側のテレビ受信機一体型携帯電話装置１０３で、その携帯電話部３００の操作部３４４をユーザが所定操作することにより行われる。
【０１１４】
これにより、ユーザ側のテレビ受信機一体型携帯電話装置１０３では、通信モード切替え手段３０９がデータ通信モードに切替わり、その制御部／信号処理部３３１も、通話モードからデータ通信モードに切替えられ、通話相手側のテレビ受信機一体型携帯電話装置１０３’との間でデータ通信モードを確立する。
【０１１５】
そして、ユーザ側のテレビ受信機一体型携帯電話装置１０３では、通話相手側とのデータ通信モードが確立されると、携帯電話部３００の制御部／信号処理部３３１が、テレビ受信機部２００の制御部／信号処理部２３１を介して、テレビ受信機部２００の選局情報格納手段２０３に記録された選局情報の提供を受け、この選局情報を選局情報送出手段３０３に供給する。選局情報送出手段３０３は、この選局情報に基づき、通話相手側のテレビ受信機一体型携帯電話装置１０３’への選局情報送出データを生成する。
【０１１６】
同様にして、ユーザ側のテレビ受信機一体型携帯電話装置１０３では、通話相手側とのデータ通信モードが確立されると、携帯電話部３００の制御部／信号処理部３３１が、基地局データ格納手段３０６に記録された登録基地局データを読み出し、この登録基地局データを基地局データ送出手段３０７に供給する。基地局データ送出手段３０７は、この登録基地局データに基づき、通話相手側のテレビ受信機一体型携帯電話装置１’への登録基地局送出データを生成する。
【０１１７】
制御部／信号処理部３３１は、この生成された選局情報送出データ及び登録基地局送出データそれぞれに符号化といった必要な処理を施した後、無線送受信回路部３０１に供給する。この必要な処理が施された選局情報送出データ及び登録基地局送出データは、無線送受信回路部３０１で変調され、アンテナ３４１から選局情報送出データ及び登録基地局送出データを含む通信電波が携帯電話基地局７００（ユーザ側の登録基地局に対応する）に向けて送出される（ステップＳ３０４）。
【０１１８】
上述した構成により、本実施の形態は、前述した第２の実施の形態による場合とは反対に、ユーザ側のテレビ受信機一体型携帯電話装置１０３の登録基地局データが、相手側のテレビ受信機一体型携帯電話装置１０３’に供給される。
【０１１９】
同じくユーザ側との間でデータ通信モードが確立された通話相手側のテレビ受信機一体型携帯電話装置１０３’の携帯電話部３００’では、携帯電話基地局７００’（通話相手側の登録基地局に対応する）から送信される通信電波はアンテナ３４１’で受信され、無線送受信回路３０１’によって検波，復調，誤り訂正といった必要な処理が施され、制御部／信号処理部３３１’に供給される
【０１２０】
その制御部／信号処理部３３１’では、受信データの復号といった処理が行われ、復号された通信データは選局情報受信手段３０２’及び基地局データ受信手段３０５’に供給され、ユーザ側から送出された選局情報送出データ，登録基地局送出データそれぞれの受信が行われる。
【０１２１】
選局情報受信手段３０２’は、選局情報送出データの受信が行われると、選局情報送出データに含まれる選局情報を抽出し、選局情報は、制御部／信号処理部３３１’により、テレビ受信機部２００’の制御部／信号処理部２３１’介して不揮発性メモリ２３２’又はＲＡＭ２３３’に記録される。また、基地局データ受信手段３５は、登録基地局送出データの受信が行われると、登録基地局データは、同様に制御部／信号処理部３３１’により、携帯電話部３００’の不揮発性メモリ３３２’又はＲＡＭ３３３’に記録される（ステップＳ３０５）。
【０１２２】
そして、制御部／信号処理部３３１’は、不揮発性メモリ３３２’又はＲＡＭ３３３’に記録したユーザ側のテレビ受信機一体型携帯電話装置１０３の登録基地局データを読み出し、地域コード変換手段３０８’に供給する。
【０１２３】
地域コード変換手段３０８’は、このユーザ側のテレビ受信機一体型携帯電話装置１０３の登録基地局データに基づいて、ユーザ側の地上デジタルテレビ放送のチャンネル情報を取得するための対応する地域コードを求める（ステップＳ３０６）。この地域コードは、ユーザ側のテレビ受信機一体型携帯電話装置１０３（すなわち、ユーザ側の登録基地局７００）の所在場所をエリア内に含んだ放送地域の識別コードを表わすもので、例えば、地上デジタルテレビ放送で使用される、ほぼ都道府県単位に割り当てられている地域別割当てコード等が該当する。
【０１２４】
地域コード変換手段３０８’によってユーザ側の地域コードが取得されると、テレビ受信機部２００’の制御部／信号処理部２３１’は、携帯電話部３００’の制御部／信号処理部３３１’を介して、この地域コードの提供を受け、チューナプリセットデータ取得手段２０５’に供給する。
【０１２５】
チューナプリセットデータ取得手段２０５’は、この供給された地域コードに対応するチューナプリセットデータを求める。この場合、取得されるチューナプリセットデータは、ユーザ側のテレビ受信機一体型携帯電話装置１０３（すなわち、登録基地局７００）の所在場所を含む放送地域内で受信可能な各放送波のチャンネル情報であって、ユーザ側のテレビ受信機一体型携帯電話装置１０３のチューナ／復調部２０１にプリセットされているものである。例えば、このチューナプリセットデータは、予め地域コード別に対応させてデータベース化されており、地域コードから対応する放送地域のチューナプリセットデータを容易に求めることが可能になっている。
【０１２６】
そして、チューナプリセットデータ取得手段２０５’によって、ユーザ側のテレビ受信機一体型携帯電話装置１０３の所在場所で受信可能な放送波全てのチャンネル情報が取得されると、制御部／信号処理部２３１’は、同系列局特定手段２０６’に自局側（この場合、相手側）における同系列局の特定を行わせる。
【０１２７】
同系列局特定手段２０６’は、チューナプリセットデータ取得手段２０５’が取得したユーザ側で受信可能な放送波全てのチャンネル情報に対して、自局側で現在受信可能な放送波全てすなわち自局側のチューナプリセットデータの中から、その同系列局を特定する。同系列局特定手段２０６’によって特定された、ユーザ側で受信可能な放送波と同系列局の自局側で現在受信可能な放送波のチャンネル情報は、制御部／信号処理部２３１’を介して、不揮発性メモリ２３２又はＲＡＭ２３３に記録される（ステップＳ３０７）
【０１２８】
テレビ受信機部２００’の制御部／信号処理部２３１’は、前述のステップＳ３０５で不揮発性メモリ２３２’又はＲＡＭ２３３’に記録したユーザ側で現在視聴中であるテレビ番組の選局情報（“network_id”，“transport_stream_id”，及び“service_id”）、及び上述のステップＳ３０７で不揮発性メモリ２３２’又はＲＡＭ２３３’に記録したユーザ側で現在受信可能な放送波の中の自局側（この場合、通話相手側）で受信可能な同系列局のチャンネル情報を読み出し、選局情報設定手段２０４’によりチューナ／復調部２０１’を設定する（ステップＳ３０８）。この場合、例えば、選局情報設定手段２０４’は、チューナ／復調部２０１’を調整して、例えば周波数の低い順から、自局側（この場合、相手側）で受信可能な同系列局のチャンネル情報に基づき、同系列局の放送波を順次受信させ、この受信した放送チャンネルの多重化されたデータに含まれるＰＳＩ情報の中に、読み出したユーザ側からの選局情報（“network_id”，“transport_stream_id”，及び“service_id”）があるか否かを、制御部／信号処理部２３１’が順次確認することによって行う（ステップＳ３０９）。
【０１２９】
この確認において、選局情報設定手段２０４によって設定された同系列局の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０３と同じテレビ番組を視聴可能な状態にする（ステップＳ３１０）。
【０１３０】
これにより、テレビ受信機表示部２４２’には、ユーザ側で視聴しているテレビ番組と同じテレビ番組が表示され、通話相手側のテレビ受信機一体型携帯電話装置１０３’でもユーザ側と同じテレビ番組の視聴が開始できるようになる。
【０１３１】
一方、この確認において、選局情報設定手段２０４によって設定された同系列局の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示すメッセージを画面表示する（ステップＳ３１１）。
【０１３２】
この際における表示メッセージとしては、例えば『＊＊＊＊さんより指定された番組（※※※※）は受信できません』といったメッセージが表示される。なお、このメッセージ表示に代えて、携帯電話部３００’の携帯電話表示部３４２’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１では図示省略した着信報知のための振動手段や鳴音手段を作動させることによって、相手側のテレビ受信機一体型携帯電話装置１０３’の携帯者に明示的に知らせるようにしてもよい。
【０１３３】
また、このテレビ受信機部２００’の制御部／信号処理部２３１’による上記した確認結果は、携帯電話部３００’の制御部／信号処理部３３１’を介し、選局確認手段３２１’に供給される。
【０１３４】
選局確認手段３２１’は、この確認結果に基づいてユーザ側への選局確認送出データを生成し、制御部／信号処理部３３１’は、この生成された選局確認送出データに符号化等の必要な処理を施して無線送受信回路部３０１’で変調し、アンテナ３４１’から携帯電話基地局７００’に向けて送出する（ステップＳ３１２）。
【０１３５】
ユーザ側のテレビ受信機一体型携帯電話装置１０３の携帯電話部３００では、携帯電話基地局７００から送信される通信電波はアンテナ３４１で受信され、無線送受信回路３０１によって検波，復調，誤り訂正といった必要な処理を施され、制御部／信号処理部３３１に供給される。
【０１３６】
制御部／信号処理部３３１では、受信データの復号が行われ、復号された受信データは選局確認手段３２１に供給され、通話相手側における選局確認結果の受信が行われる。選局確認手段３２１は、相手側のテレビ受信機一体型携帯電話装置１０３’で、ユーザ側の選局情報で指定された番組の選局ができ、ユーザ側と同じテレビ番組が視聴可能であるか否かの選局確認結果を、携帯電話部３００の制御部／信号処理部３３１を介して、テレビ受信機部２００の制御部／信号処理部２３１に供給する。
【０１３７】
テレビ受信機部３の制御部／信号処理部２３１は、通話相手がユーザによって指定された番組が視聴できた又はできなかったことを示すメッセージを、テレビ受信機表示部２４２に表示する（ステップＳ３１３）。
【０１３８】
なお、このメッセージ表示の代わりに、携帯電話部３００の携帯電話表示部３４２にアイコンを表示したり、マイク／スピーカ３４３から音声でメッセージ等を流したりしてもよい。また、携帯電話表示部３４２の画面特定部分の色を変えたり、ＬＥＤを点灯させたり、フラッシングさせたりしてもよい。さらには、図１では図示省略した着信報知のための振動手段や鳴音手段を作動させることによって、テレビ受信機一体型携帯電話装置１０３の携帯者であるユーザに明示的に知らせるようにしてもよい。
【０１３９】
また、この通話相手から送信される選局確認結果の受信及び報知に対応して、ユーザ側のテレビ受信機一体型携帯電話装置１０３では、携帯電話部３００の通信モード切替え手段３０９がデータ通信モードから通話モードに切替えられ、その制御部／信号処理部３３１も、通話モードからデータ通信モードに切替えられ、通話相手側のテレビ受信機一体型携帯電話装置１０３’との間で通話モードを確立する（ステップＳ３１４）。
【０１４０】
これにより、ユーザ側のテレビ受信機一体型携帯電話装置１０３及び通話相手側のテレビ受信機一体型携帯電話装置１０３’は、通信モードから通話モードに自動的復旧し、ユーザ及びその通話相手は、通話を再開することができる。
【０１４１】
このように、本実施例のテレビ受信機一体型携帯電話装置１０３の番組情報伝達構成によれば、通話相手が、ユーザと同じ放送波を受信できる地域にいる場合でも、いない場合でも、選局情報を送信する際に、選局情報を送信する側の登録基地局データを選局情報に続けて送信することにより、相手側で、ユーザ側と同じ放送地域にいるか否かを判断でき、異なる放送地域にいる場合には、登録基地局データにもとに、通話相手が受信可能な放送波を特定することができ、ユーザ側が視聴中の放送局と同系列局を選局させることができる。
【０１４２】
さらに、通話相手は、ユーザによって指定された番組が視聴可能であるか否かを確認でき、さらにユーザ側に通知することによって、ユーザ側も相手方が視聴可能であるか否かを確認できる。
【０１４３】
＜第４の実施の形態＞
次に、本発明の第４の実施の形態によるテレビ受信機一体型携帯電話装置１０４の番組情報伝達構成に関して説明する。
【０１４４】
なお、本実施の形態のテレビ受信機一体型携帯電話装置１０４の装置各部の個別構成については、図１に示したテレビ受信機一体型携帯電話装置１０１と同一又は同様であるので、同一符号を付してその説明は省略する。
【０１４５】
そこで、本発明の第４の実施の形態によるテレビ受信機一体型携帯電話装置１０３の番組情報伝達構成に関して、図１及び図５を参照しながら説明する。
【０１４６】
本実施の形態のテレビ受信機一体型携帯電話装置１０４では、ユーザによるメール通信により、相手方のテレビ受信機一体型携帯電話装置１０４’に、ユーザが視聴しているテレビ番組を放送している放送波と同系列局の放送波を選局させる番組情報伝達構成になっている。
【０１４７】
図５は、本実施の形態によるテレビ受信機一体型携帯電話装置における番組情報伝達構成を示したフローチャートである。
【０１４８】
ユーザ側、すなわち番組情報送信側のテレビ受信機一体型携帯電話装置１０４では、テレビ受信機部２００によるテレビ放送の視聴中には、テレビ受信機部２００の選局情報取得手段２０２によって、現在視聴中のテレビ番組を放送している放送波の選局情報の取得が行われる（ステップＳ４０１）。この取得された選局情報は、選局情報格納手段２０３に記録される。
【０１４９】
ここで、選局情報には、例えば前述のＰＳＩ情報の中より、ネットワークを識別するための“network_id”（ネットワーク識別）と、ＴＳを識別するための“transport_stream_id”（トランスポートストリーム識別）と、チャンネル（サービス）を識別するための“service_id”（サービス識別）を用いればよい。
【０１５０】
また、ユーザ側のテレビ受信機一体型携帯電話装置１０４では、携帯電話部３００の制御部／信号処理部３３１が、携帯電話基地局７００との間で交換される位置情報に基づいて、現在位置登録をしている携帯電話基地局７００のデータを、基地局データ格納手段３０６に記録している（ステップＳ４０２）。
【０１５１】
そして、ユーザは、自分が視聴しているテレビ番組を放送している放送波と同系列局の放送波をメール送信相手に選局させたい場合は、例えば、ユーザ側のテレビ受信機一体型携帯電話装置１０４で、その携帯電話部３００の操作部３４４をユーザがそのテレビ番組の視聴中に所定操作することにより行われる。
【０１５２】
これにより、ユーザ側のテレビ受信機一体型携帯電話装置１０４では、携帯電話部３００の制御部／信号処理部３３１が、テレビ受信機部２００の制御部／信号処理部２３１を介して、テレビ受信機部２００の選局情報格納手段２０３に記録された選局情報、及び基地局データ格納手段３０６に記録された登録基地局データ（現在位置登録をしている携帯電話基地局７００のデータ）の提供を受け、この選局情報及び登録基地局データをメール送信手段３２０に供給する。
【０１５３】
そして、メール送信手段３２０は、ユーザにより設定されたメール送信相手宛に、選局情報及び登録基地局データが添付された選局情報送信メールを作成する。メール送信手段３２０では、この選局情報送信メールの作成の際には、送信先のメールアドレスの入力ボックスが開かれ、ユーザは操作部３４４を操作してメールのアドレス帳から送信先のメールアドレスを選択したり、入力ボックスに直接メールアドレスを入力したりすることができる構成になっている。
【０１５４】
入力ボックスに送信先のメールアドレスが指定されると、メール送信手段３２０により生成された選局情報送信メールは、制御／信号処理部３３１に供給され、無線送受信回路部３０１を介してアンテナ３４１から携帯電話基地局７００に向けて発信され、ネットワーク上にこの選局情報送信メールが送信される（ステップＳ４０３）。
【０１５５】
一方、メール送信相手のテレビ受信機一体型携帯電話装置１０４’の携帯電話部３００’では、携帯電話基地局７００’から送信される通信電波はアンテナ３４１’で受信され、無線送受信回路３０１’によって検波，復調，誤り訂正といった必要な処理が施され、制御部／信号処理部３３１’に供給される。
【０１５６】
その制御部／信号処理部３３１’では、受信データの復号といった処理が行われ、復号された通信データはメール受信手段３１９’にも供給され、メールの受信が行われる。
【０１５７】
メール受信手段３１９’は、操作部３４４によって受信したメールの開封操作が行われた際、受信したメールが選局情報及びユーザ側（送信元）の登録基地局データを含む選局情報送信メールであるか否かを確認し、受信したメールが選局情報送信メールであると認識した場合は、制御部／信号処理部３３１’を介して、選局情報抽出手段３２２’に受信した選局情報送信メールを供給する（ステップＳ４０４）。
【０１５８】
選局情報抽出手段３２２’は、供給された選局情報送信メールから、メール送信者としてのユーザ側の登録基地局データと、ユーザが視聴中の番組を受信するための選局情報とを抽出する。
【０１５９】
抽出された登録基地局データは、基地局データ受信手段３０５’に供給され、不揮発性メモリ３３２’、又はＲＡＭ３３３’へ記録される。また、抽出された選局情報は、選局情報受信手段３０２’に供給され、制御部／信号処理部３３１’により、テレビ受信機部２００’の制御部／信号処理部２３１’介して不揮発性メモリ２３２’又はＲＡＭ２３３’に記録される（ステップＳ４０５）。
【０１６０】
そして、制御部／信号処理部３３１’は、不揮発性メモリ３３２’又はＲＡＭ３３３’に記録したユーザ側のテレビ受信機一体型携帯電話装置１０４の登録基地局データを読み出し、地域コード変換手段３０８’に供給する。
【０１６１】
地域コード変換手段３０８’は、このユーザ側のテレビ受信機一体型携帯電話装置１０４の登録基地局データに基づいて、ユーザ側の地上デジタルテレビ放送のチャンネル情報を取得するための対応する地域コードを求める（ステップＳ４０６）。この地域コードは、ユーザ側のテレビ受信機一体型携帯電話装置１０４（すなわち、登録基地局７００）の所在場所をエリア内に含んだ放送地域の識別コードを表わすもので、例えば、地上デジタルテレビ放送で使用される、ほぼ都道府県単位に割り当てられている地域別割当てコード等が該当する。
【０１６２】
地域コード変換手段３０８’によってユーザ側の地域コードが取得されると、テレビ受信機部２００’の制御部／信号処理部２３１’は、携帯電話部３００’の制御部／信号処理部２３１’を介して、この地域コードの提供を受け、チューナプリセットデータ取得手段２０５’に供給する。
【０１６３】
チューナプリセットデータ取得手段２０５’は、この供給された地域コードに対応するチューナプリセットデータを求める。この場合、取得されるチューナプリセットデータは、ユーザ側のテレビ受信機一体型携帯電話装置１０４（すなわち、登録基地局７００）の所在場所を含む放送地域内で受信可能な各放送波のチャンネル情報である。例えば、このチューナプリセットデータは、予め地域コード別に対応させてデータベース化されており、地域コードから対応するチューナプリセットデータを容易に求めることが可能になっている。
【０１６４】
そして、チューナプリセットデータ取得手段２０５’によって、ユーザ側のテレビ受信機一体型携帯電話装置１０４の所在場所で受信可能な放送波全てのチャンネル情報が取得されると、制御部／信号処理部２３１’は、同系列局特定手段２０６’に自局側（この場合、相手側）における同系列局の特定を行わせる。
【０１６５】
同系列局特定手段２０６’は、チューナプリセットデータ取得手段２０５’が取得したユーザ側で受信可能な放送波全てのチャンネル情報に対して、自局で現在受信可能な放送波全ての中から、その同系列局を特定する。同系列局特定手段２０６’によって特定された、ユーザ側で現在受信可能な放送波のメール送信相手側における同系列局のチャンネル情報は、制御部／信号処理部２３１’を介して、不揮発性メモリ２３２’、またはＲＡＭ２３３’に記録される（ステップＳ４０７）。
【０１６６】
テレビ受信機部２００’の制御部／信号処理部２３１’は、前述のステップＳ４０５で不揮発性メモリ２３２’又はＲＡＭ２３３’に記録されたユーザ側で現在視聴中であるテレビ番組の選局情報（“network_id”，“transport_stream_id”，及び“service_id”）、及び上述のステップＳ４０７で不揮発性メモリ２３２’又はＲＡＭ２３３’に記録されたユーザ側で受信可能な放送波の自局（この場合、メール送信相手）側における同系列局のチャンネル情報を読み出し、選局情報設定手段２０４’によりチューナ／復調部２０１’を設定する（ステップＳ４０８）。この場合、例えば、選局情報設定手段２０４’は、ユーザ側で受信可能な放送波の自局側における同系列局のチャンネル情報に基づき、チューナ／復調部２０１’を調整して、例えば周波数の低い順から、同系列局の放送波を順次受信させ、制御部／信号処理部２３１は、この受信した放送チャンネルの多重化されたデータに含まれるＰＳＩ情報の中に、読み出したユーザ側からの選局情報（“network_id”，“transport_stream_id”，及び“service_id”）があるか否かを確認することによって行う（ステップＳ４０９）。
【０１６７】
この確認において、選局情報設定手段２０４によって設定された同系列局の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０４と同じテレビ番組を視聴可能な状態にする（ステップＳ４１０）。
【０１６８】
これにより、メール送信相手側のテレビ受信機一体型携帯電話装置１０４’のテレビ受信機表示部２４２’には、ユーザ側で視聴しているテレビ番組と同じテレビ番組が表示され、メール送信相手側でもユーザ側と同じテレビ番組の視聴が開始できるようになる。
【０１６９】
一方、この確認において、選局情報設定手段２０４’によって設定された同系列局の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示すメッセージを画面表示する（ステップＳ４１１）。
【０１７０】
この際における表示メッセージとしては、例えば『＊＊＊＊さんより指定された番組（※※※※）は受信できません』といったメッセージが表示される。なお、このメッセージ表示に代えて、携帯電話部３００’の携帯電話表示部３４２’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１では図示省略した着信報知のための振動手段や鳴音手段を作動させることによって、メール送信相手側のテレビ受信機一体型携帯電話装置１０４’の携帯者に明示的に知らせるようにしてもよい。
【０１７１】
このように、本実施の形態によるテレビ受信機一体型携帯電話装置１０４の番組情報伝達構成によれば、ユーザが特定した相手が、ユーザと同じ放送波を受信できる地域にいる場合でも、いない場合でも、ユーザが選局情報を送信する際に、選局情報とともにユーザ自身の登録基地局データを送信することにより、相手側ではユーザが同じ放送地域にいるか否かを判断でき、異なる放送地域にいる場合には、ユーザの登録基地局データにもとに、相手側で受信可能な同系列の放送波を特定することができ、相手側でユーザが視聴中の放送局と同系列局を選局させることができる。
【０１７２】
さらに、本実施の形態は、ユーザが特定した相手への選局情報の送信は、メールに選局情報とユーザの登録基地局データを添付したメールを送付することより行う構成なので、相手側がユーザからの電話呼び出しに対してすぐに応答できず、ユーザ側のテレビ受信機一体型携帯電話装置１０４と相手方のテレビ受信機一体型携帯電話装置１０４'との間の通話接続がはかれない状況であっても、その対応が容易にはかれる。
【０１７３】
例えば、ユーザが特定した相手がユーザ以外の第三者と電話中である等といった理由で、ユーザからの電話呼び出しに対してすぐに応答できない場合であっても、ユーザは、相手のテレビ受信機一体型携帯電話装置１０４'との間の回線接続に関係なく、選局情報を相手側に送信しておくことができる。また、相手も、例えば、第三者と電話が終了する等によって、ユーザからの電話呼び出しに対しては応答できなかったものの、メールが受信できるようになりさえすれば、ユーザが視聴しているテレビ番組と同じテレビ番組を視聴できるようになる。
【０１７４】
なお、本実施の形態では、選局情報送信メールを生成して送信するユーザ側のテレビ受信機、及びユーザ側からの選局情報送信メールを受信してユーザ側が視聴しているテレビ番組と同じテレビ番組を視聴するメール送信相手側のテレビ受信機のいずれとも、電話（通話）機能を備えたテレビ受信機一体型携帯電話装置１０４，１０４'と説明したが、ユーザ側のテレビ受信機及びメール送信相手側のテレビ受信機は、メールの送信／受信が可能な通信機能を備えているものであるならば、電話（通話）機能を備えていなくてもよく、テレビ受信機能及び通信機能を備えたＰＤＡ（Personal Digital Assistant），モバイルＰＣ等といったものであってもよい。
【０１７５】
また、本実施の形態では、メール送信相手側のテレビ受信機では、選局情報送信メールの開封時に、ユーザが視聴しているテレビ番組を放送している放送波と同系列局の放送波を選局させる番組情報伝達構成としたが、選局情報送信メールの受信時に、受信したメールが選局情報送信メールであり、ユーザが視聴しているテレビ番組を放送している放送波と同系列局の放送波の受信を開始するか否か、すなわち選局情報送信メールの開封をメール送信相手に確認する構成を備えていてもよい。
【０１７６】
＜第５の実施の形態＞
図６は、本発明の第５の実施の形態によるテレビ受信機一体型携帯電話装置の構成図である。
【０１７７】
なお、本実施の形態のテレビ受信機一体型携帯電話装置１０５の説明にあたっては、図１に示した第１の実施の形態によるテレビ受信機一体型携帯電話装置１０１と同一又は同様な構成部分については、同一符号を付してその詳細な説明は省略する。
【０１７８】
本実施の形態のテレビ受信機一体型携帯電話装置１０５は、携帯電話部３００にはＧＰＳ（Global Positioning System）受信手段３２３が設けられ、当該テレビ受信機一体型携帯電話装置１０５が自身の位置情報を取得できる構成になっている。ＧＰＳ受信手段３２３によって取得された自身の位置情報は、位置情報データ格納手段３２４に格納される構成になっている。ＧＰＳ受信手段３２３で取得した位置情報を通話中の相手に送信するために、位置情報データ送出手段３２６が設けられている。また、通話中の相手のテレビ受信機一体型携帯電話装置１０５’から送信されてくる位置情報データを受信するために、位置情報データ受信手段３２５が設けられている。
【０１７９】
また、テレビ受信機部２００のチューナプリセットデータ取得手段２０８は、図１に示したテレビ受信機一体型携帯電話装置１０１のチューナプリセットデータ取得手段２０５と異なり、地域コードによりプリセットデータを取得するのではなく、上述した位置情報データより直接プリセットデータを取得できる構成になっている。
【０１８０】
次に、本実施の形態のテレビ受信機一体型携帯電話装置１０５において、ユーザが現在視聴中のテレビ番組の情報を通話相手に送信する場合の番組情報伝達構成について、詳細に説明する。
【０１８１】
なお、その説明に当たって、図６に示した本実施の形態によるテレビ受信機一体型携帯電話装置１０５及びその各部に関し、ユーザ側すなわち番組情報送信局側のテレビ受信機一体型携帯電話装置としてではなく、通話相手側すなわち番組情報受信局側のテレビ受信機一体型携帯電話装置として機能する場合については、図６の各部に付した符号数字にダッシュ（ ’）を付して表わし、番組情報送信局側である場合と番組情報受信局側である場合とで区別して説明する。
【０１８２】
本実施の形態によるテレビ受信機一体型携帯電話装置１０５による番組情報伝達構成に関して、図６及び図７を参照しながら説明する。
【０１８３】
本実施の形態の番組情報伝達構成では、ユーザが、テレビ受信機一体型携帯電話装置１０５でテレビ番組を視聴しているときに、着呼又は発呼によって特定の相手と通話を行っている場合に、相手方のテレビ受信機一体型携帯電話装置１０５’に、ユーザ自身が視聴しているテレビ番組を放送している放送波と同系列局の放送波を選局させる番組情報伝達構成になっている。
【０１８４】
図７は、本実施の形態によるテレビ受信機一体型携帯電話装置における番組情報伝達構成を示したフローチャートである。
【０１８５】
ユーザ側、すなわち番組情報送信局側のテレビ受信機一体型携帯電話装置１０５では、テレビ受信機部２００によるテレビ放送の視聴中に、携帯電話部３００によって通話が行われている場合は、テレビ受信機部２００の選局情報取得手段２０２によって、現在視聴中のテレビ番組を放送している放送波の選局情報の取得が行われる（ステップＳ５０１）。この取得された選局情報は、選局情報格納手段２０３に記録される。
【０１８６】
次に、ユーザは、自分が視聴しているテレビ番組を放送している放送波と同系列局の放送波を通話相手側に選局させたい場合は、テレビ受信機一体型携帯電話装置１０５の携帯電話部３００の通信モード切替え手段３０９を、通話モードからデータ通信モードに切替える（ステップＳ５０２）。この切替えは、例えば、ユーザ側のテレビ受信機一体型携帯電話装置１０５で、その携帯電話部３００の操作部３４４をユーザが所定操作することにより行われる。
【０１８７】
これにより、ユーザ側のテレビ受信機一体型携帯電話装置１０５では、携帯電話部３００の通信モード切替え手段３０９がデータ通信モードに切替わり、その制御部／信号処理部３３１も、通話モードからデータ通信モードに切替えられ、通話相手側のテレビ受信機一体型携帯電話装置１０５’との間でデータ通信モードを確立する。
【０１８８】
そして、ユーザ側のテレビ受信機一体型携帯電話装置１０５では、通話相手側とのデータ通信モードが確立されると、携帯電話部３００の制御部／信号処理部３３１は、通話相手側の位置情報データの送信要求を生成し、この生成した位置情報データの送信要求に符号化といった必要な処理を施した後、無線送受信回路部３０１で変調し、アンテナ３４１から位置情報データの送信要求を含む通信電波を携帯電話基地局７００（ユーザ側の登録基地局に対応する）に向けて送出する（ステップＳ５０３）。
【０１８９】
これに対し、同じくユーザ側との間でデータ通信モードが確立された通話相手側のテレビ受信機一体型携帯電話装置１０５’の携帯電話部３００’では、携帯電話基地局７００’（相手側の登録基地局に対応する）から送信される通信電波は、アンテナ３４１’で受信され、無線送受信回路３０１’によって検波，復調，誤り訂正といった必要な処理が施され、制御部／信号処理部３３１’に供給される。
【０１９０】
制御部／信号処理部３３１’では、通信データの復号といった処理が行われ、復号された通信データが通話相手であるユーザ側からの位置情報データの送信要求である場合は、位置情報データ送出手段３２６’に後述の位置情報送信データを生成させる。
【０１９１】
その際、通話相手側のテレビ受信機一体型携帯電話装置１０５’では、携帯電話部３００’の制御部／信号処理部３３１’が、ＧＰＳ受信手段３２３に、通話相手すなわちテレビ受信機一体型携帯電話装置１０５’自身が、現在何処の位置しているかを示す位置情報データを取得させ、取得した位置情報データを、位置情報データ格納手段３２４’に記録する（ステップＳ５０４）。
【０１９２】
これにより、ユーザ側からの位置情報データの送信要求が供給された位置情報データ送出手段３２６’は、制御部／信号処理部３３１’を介して位置情報データ格納手段３２４’に記録した位置情報データを読み出し、位置情報送信データを生成する。この生成された位置情報送信データは、制御部／信号処理部３３１’により符号化といった必要な処理が施され、無線送受信回路部３０１’で変調され、アンテナ３４１’から携帯電話基地局７００’（相手側の登録基地局）に向けて送出される（ステップＳ５０５）。
【０１９３】
なお、上記説明では、位置情報データは、複数のＧＰＳ衛星からの電波を受信して位置を測位するＧＰＳ受信手段３２３’によって取得するものとしたが、複数の基地局７００’，…からの受信電波を用いて測位するものや、他の通信手段を設けて、外部より位置情報を入手する構成も利用可能である。また、このＧＰＳ受信手段３２３’自体も、上記説明ではテレビ受信機一体型携帯電話装置１０５’に一体的に備えられている構成として説明したが、ＧＰＳ受信手段３２３’はテレビ受信機一体型携帯電話装置１０５’と別体的に設けられていても構わない。この場合、例えば、テレビ受信機一体型携帯電話装置１０５’は、ＧＰＳ受信手段３２３’から赤外線通信、Bluetooth通信等の近距離無線技術を用いて送出される位置情報データを受信し、位置情報データを取得する。
【０１９４】
ユーザ側のテレビ受信機一体型携帯電話装置１０５の携帯電話部３００では、携帯電話基地局７００から送信される通信電波はアンテナ３４１で受信され、無線送受信回路３０１によって検波，復調，誤り訂正といった処理が施され、制御部／信号処理部３３１に供給される。
【０１９５】
制御部／信号処理部３３１では、通信データの復号といった処理が行われ、復号された通信データが通話相手からの位置情報送信データである場合は、位置情報データ受信手段３２５に供給される。
【０１９６】
位置情報データ受信手段３２５は、位置情報送信データを受信すると、位置情報送信データに含まれる相手方の位置情報データを、制御部／信号処理部３３１を介して、携帯電話部３００の不揮発性メモリ３３２又はＲＡＭ３３３に記録する（ステップＳ５０６）。
【０１９７】
テレビ受信機部２００の制御部／信号処理部２３１は、携帯電話部３００の制御部／信号処理部３３１を介して、この記録された位置情報データの提供を受け、チューナプリセットデータ取得手段２０８に供給する。
【０１９８】
チューナプリセットデータ取得手段２０８は、この供給された地域コードに対応するチューナプリセットデータを求める。このチューナプリセットデータは、位置情報データによって表わされる所在位置を含む地域内で受信可能な各放送波のチャンネル情報で、例えば、予め地域別に対応させてデータベース化されており、所在位置を含む地域から対応するチューナプリセットデータを容易に求めることが可能になっている。
【０１９９】
そして、チューナプリセットデータ取得手段２０８によって、通話相手のテレビ受信機一体型携帯電話装置１０５’の所在場所で受信可能な放送波全てのチャンネル情報が取得されると、制御部／信号処理部３３１は、同系列局特定手段２０６に、チューナプリセットデータ取得手段２０８が取得したチャンネル情報に基づいて、ユーザ側で現在視聴中のテレビ番組を放送している放送局の同系列局を特定させる。
【０２００】
同系列局特定手段２０６は、例えば、前述のステップＳ５０１により選局情報取得手段２０２によって取得され、選局情報格納手段２０３に記録されているユーザが現在視聴中のテレビ番組の選局情報と、チューナプリセットデータ取得手段２０８が取得したチャンネル情報に含まれる放送局データとを比較し、このチューナプリセットデータ取得手段２０８が取得した通話相手側で受信可能な放送波のチャンネル情報の中からユーザによって現在視聴中のテレビ番組を放送している放送波の同系列局を特定する（ステップＳ５０７）。
【０２０１】
携帯電話部３００の制御部／信号処理部３３１には、この同系列局特定手段２０６によって特定された同系列局のチャンネル情報、及びユーザが現在視聴中のテレビ番組の選局情報が、テレビ受信機部２００の制御部／信号処理部２３１を介して、提供される。
【０２０２】
ここで、ユーザが現在視聴中のテレビ番組の選局情報としては、例えば、放送波のパケットデータのＰＳＩ情報の中に含まれる、ネットワークを識別するための“network_id”（ネットワーク識別）、ＴＳを識別するための“transport_stream_id”（トランスポートストリーム識別）、チャンネル（サービス）を識別するための“service_id”（サービス識別）”を用いればよい。
【０２０３】
携帯電話部３００の制御部／信号処理部３３１は、この同系列局のチャンネル情報、及びユーザが現在視聴中のテレビ番組の選局情報選局情報が提供されると、これらを選局情報送出手段３０３に供給する。
【０２０４】
選局情報送出手段３０３は、これら情報に基づき、通話相手側のテレビ受信機一体型携帯電話装置１０５’への選局情報送出データを生成し、制御部／信号処理部３３１は、この生成された選局情報送出データに符号化といった処理を施し、無線送受信回路部３０１で変調してアンテナ３４１から携帯電話基地局７００に向けて送出する（ステップＳ５０８）。
【０２０５】
これに対して、通話相手側のテレビ受信機一体型携帯電話装置１０５’の携帯電話部３００’では、携帯電話基地局７００’から送信される通信電波がアンテナ３４１’で受信され、無線送受信回路３０１’で検波，復調，誤り訂正といった必要な処理が施され、制御部／信号処理部３３１’に供給される。
【０２０６】
制御部／信号処理部３３１’では、受信データの復号が行われ、復号された受信データは選局情報受信手段３０２’に供給され、ユーザ側によって同系列局として特定されたチャンネル情報を含む選局情報（“network_id”，“transport_stream_id”，及び“service_id”）の受信が行われる。選局情報受信手段３０２’によって受信された同系列局のチャンネル情報を含む選局情報は、制御部／信号処理部３３１’により、制御部／信号処理部２３１’を介してテレビ受信機部２００’の不揮発性メモリ２３２’又はＲＡＭ２３３’に記録される（ステップＳ５０９）。
【０２０７】
テレビ受信機部２００’の制御部／信号処理部２３１’は、この不揮発性メモリ２３２’又はＲＡＭ２３３’に記録されたユーザ側によって同系列局として特定されたチャンネル情報を読み出し、選局情報設定手段２０４’によりチューナ／復調部２０１’を設定する（ステップＳ５１０）。
【０２０８】
この場合、例えば、選局情報設定手段２０４’は、チューナ／復調部２０１’を調整して、例えば周波数の低い順からユーザ側によって同系列局として特定されたチャンネル情報の放送波を受信させ、制御部／信号処理部２３１’は、この受信した放送チャンネル毎に、その多重化されたデータに含まれるＰＳＩ情報の中に、読み出したユーザ側からの選局情報（“network_id”，“transport_stream_id”，及び“service_id”）があるか否かを、制御部／信号処理部２３１’が順次確認する（ステップＳ５１１）。
【０２０９】
この確認において、例えば、ステップＳ５０６でユーザ側が求めた相手側の位置情報に対応する放送地域において、選局情報設定手段２０４’によって設定された受信可能な同系列局の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０５と同じテレビ番組を視聴可能な状態にする（ステップＳ５１２）。
【０２１０】
これにより、テレビ受信機表示部２４２’には、ユーザ側で視聴しているテレビ番組と同じテレビ番組が表示され、通話相手側でもユーザ側と同じテレビ番組の視聴が開始できるようになる。
【０２１１】
一方、この確認において、例えば、ステップＳ５０６でユーザ側が求めた相手側の位置情報に対応する放送地域において、選局情報設定手段１４によって設定された受信可能な同系列局の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ５１３）。
【０２１２】
なお、このメッセージ表示の代わりに、携帯電話部３００’の携帯電話表示部５１’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図６では図示省略した着信報知のための振動手段や鳴音手段を作動させることによって、テレビ受信機一体型携帯電話装置１０５’の携帯者である通話相手に明示的に知らせるようにしてもよい。
【０２１３】
また、このテレビ受信機部２００’の制御部／信号処理部２３１’による上記した確認結果は、前述した第１の実施の形態のテレビ受信機一体型携帯電話装置１０１，１０１’の場合のステップＳ１０９，Ｓ１１０，Ｓ１１１と同様にして、通話相手のテレビ受信機一体型携帯電話装置１０５’からユーザのテレビ受信機一体型携帯電話装置１０５に、ユーザが視聴中のテレビ番組が視聴可能であるか否かの確認結果が通知される（ステップＳ５１４）。そして、この確認結果の通知を受信したユーザのテレビ受信機一体型携帯電話装置１０５では、この確認結果をテレビ受信機表示部２４２等を用いてユーザに報知し（ステップＳ５１５）、通信モード切替え手段３０９をデータ通信モードから通話モードに切替えて、ユーザ側及び通話相手側のテレビ受信機一体型携帯電話装置１０５，１０５’間を通信モードから通話モードに自動的復旧し、ユーザ及びその通話相手が通話を再開できるようにする（ステップＳ５１６）。
【０２１４】
このように、本実施の形態のテレビ受信機一体型携帯電話装置１０５の番組情報伝達構成によれば、通話相手が、ユーザの受信している放送波を受信できない地域にいる場合であっても、通話相手の位置情報データを送信してもらい、これに基づき相手が受信可能な同系列局の放送波を特定することにより、通話相手にユーザが視聴しているテレビ番組を放送している放送波と同系列局の放送波を選局させ、ユーザが視聴しているテレビ番組を設定することが容易にできる。
【０２１５】
さらに、通話相手は、ユーザによって指定された番組が視聴可能であるか否かを確認でき、さらにユーザ側に通知することによって、ユーザ側も相手方が視聴可能であるか否かを確認できる。
【０２１６】
＜第６実施の形態＞
次に、本発明の第６の実施の形態によるテレビ受信機一体型携帯電話装置１０６の番組情報伝達構成に関して説明する。
【０２１７】
なお、本実施の形態のテレビ受信機一体型携帯電話装置１０６の構成は、図６に示したテレビ受信機一体型携帯電話装置１０１とはテレビ受信機部２００及び携帯電話部３００における制御部／信号処理部２３１，３３１による各部の制御構成が異なるものの、装置各部の個別構成については図６に示したテレビ受信機一体型携帯電話装置１０５と同一又は同様であるので、同一符号を付してその説明は省略する。
【０２１８】
そこで、本発明の第６の実施の形態によるテレビ受信機一体型携帯電話装置１０６の番組情報伝達構成に関して、図６及び図８を参照しながら説明する。
【０２１９】
本実施の形態の番組情報伝達構成は、第５の実施の形態の場合と同じく、ユーザが、テレビ受信機一体型携帯電話装置１０６でテレビ番組を視聴しているときに、着呼又は発呼に基づいて特定の相手と通話を行っている場合に、相手方のテレビ受信機一体型携帯電話装置１０６’に、ユーザが視聴しているテレビ番組を放送している放送波と同系列局の放送波を選局させる状況を想定している。
【０２２０】
図８は、本実施の形態によるテレビ受信機一体型携帯電話装置における番組情報伝達構成を示したフローチャートである。
【０２２１】
ユーザ側、すなわち番組情報送信側のテレビ受信機一体型携帯電話装置１０６では、テレビ受信機部２００によるテレビ放送の視聴中に、携帯電話部３００によって通話が行われている場合は、テレビ受信機部２００の選局情報取得手段２０２によって、現在視聴中のテレビ番組を放送している放送波の選局情報の取得が行われる（ステップＳ６０１）。この取得された選局情報は、選局情報格納手段２０３に記録される。
【０２２２】
ここで、選局情報には、例えば前述のＰＳＩ情報の中より、ネットワークを識別するための“network_id”（ネットワーク識別）と、ＴＳを識別するための“transport_stream_id”（トランスポートストリーム識別）と、チャンネル（サービス）を識別するための“service_id”（サービス識別）を用いればよい。
【０２２３】
また、ユーザ側のテレビ受信機一体型携帯電話装置１０６では、携帯電話部３００の制御部／信号処理部３３１が、複数のＧＰＳ衛星からの電波を受信して位置を測位するＧＰＳ受信手段３２３に現在の所在位置の位置情報データを取得させ、ＧＰＳ受信手段３２３が取得した位置情報データを、位置情報データ格納手段３２４に記録している（ステップＳ６０２）。なお、本実施の形態ではＧＰＳ受信手段３２３により位置情報データを取得する構成としたが、複数の基地局からの受信電波を用いて測位する構成、外部より通信手段を介して位置情報データを入手する構成としてもよい。
【０２２４】
一方、ユーザは、自分が視聴しているテレビ番組を放送している放送波と同系列局の放送波を通話相手側に選局させたい場合は、テレビ受信機一体型携帯電話装置１０６の携帯電話部３００の通信モード切替え手段３０９を、通話モードからデータ通信モードに切替える（ステップＳ６０３）。この切替えは、例えば、ユーザ側のテレビ受信機一体型携帯電話装置１０６で、通話中に、その携帯電話部３００の操作部３４４をユーザが所定操作することにより行われる。これにより、テレビ受信機一体型携帯電話装置１０６では、通信モード切替え手段３０９が、その制御部／信号処理部３３１を通話モードからデータ通信モードに切替え、通話相手側のテレビ受信機一体型携帯電話装置１０６’との間でデータ通信モードを確立する。
【０２２５】
そして、ユーザ側のテレビ受信機一体型携帯電話装置１０６では、通話相手側とのデータ通信モードが確立されると、携帯電話部３００の制御部／信号処理部３３１が、テレビ受信機部２００の制御部／信号処理部２３１を介して、テレビ受信機部２００の選局情報格納手段２０３に記録された選局情報の提供を受け、この選局情報を選局情報送出手段３０３に供給する。選局情報送出手段３０３は、この選局情報に基づき、通話相手側のテレビ受信機一体型携帯電話装置１０６’への選局情報送出データを生成する。
【０２２６】
同様にして、ユーザ側のテレビ受信機一体型携帯電話装置１０６では、通話相手側とのデータ通信モードが確立されると、携帯電話部３００の制御部／信号処理部３３１が、位置情報データ格納手段３２４に記録された位置情報データを読み出し、この位置情報データを位置情報データ送出手段３２６に供給する。位置情報データ送出手段３２６は、この位置情報データに基づき、通話相手側のテレビ受信機一体型携帯電話装置１０６’への位置情報送出データを生成する。
【０２２７】
制御部／信号処理部３３１は、この生成された選局情報送出データ及び登録基地局送出データそれぞれに符号化といった必要な処理を施した後、無線送受信回路部３０１に供給する。この必要な処理が施された選局情報送出データ及び登録基地局送出データは、無線送受信回路部３０１で変調され、アンテナ３４１から選局情報送出データ及び登録基地局送出データを含む通信電波が携帯電話基地局７００（ユーザ側の登録基地局に対応する）に向けて送出される（ステップＳ６０４）。
【０２２８】
上述した構成により、本実施の形態は、前述した第５の実施の形態による場合とは反対に、ユーザ側のテレビ受信機一体型携帯電話装置１０６の位置情報データが、相手側のテレビ受信機一体型携帯電話装置１０６’に供給される。
【０２２９】
同じくユーザ側との間でデータ通信モードが確立された通話相手側のテレビ受信機一体型携帯電話装置１０６’の携帯電話部３００’では、携帯電話基地局７００’（通話相手側の登録基地局に対応する）から送信される通信電波はアンテナ３４１’で受信され、無線送受信回路３０１’によって検波，復調，誤り訂正といった必要な処理が施され、制御部／信号処理部３３１’に供給される。
【０２３０】
その制御部／信号処理部３３１’では、受信データの復号といった処理が行われ、復号された通信データは選局情報受信手段３０２’及び位置情報データ受信手段３２５’に供給され、ユーザ側から送出された選局情報送出データ，位置情報送出データそれぞれの受信が行われる。
【０２３１】
選局情報受信手段３０２’は、選局情報送出データの受信が行われると、選局情報送出データに含まれる選局情報を抽出し、選局情報は、制御部／信号処理部３３１’により、テレビ受信機部２００’の制御部／信号処理部２３１’介して不揮発性メモリ２３２’又はＲＡＭ２３３’に記録される。また、位置情報データ受信手段３２５’は、位置情報送出データの受信が行われると、位置情報データは、同様に制御部／信号処理部３３１’により、携帯電話部３００’の不揮発性メモリ３３２’又はＲＡＭ３３３’に記録される（ステップＳ６０５）。
【０２３２】
そして、テレビ受信機部２００’の制御部／信号処理部２３１’は、携帯電話部３００’の制御部／信号処理部３３１’を介して、この不揮発性メモリ３３２’又はＲＡＭ３３３’に記録したユーザ側のテレビ受信機一体型携帯電話装置１０６の位置情報データを読み出し、チューナプリセットデータ取得手段２０８’に供給する。
【０２３３】
チューナプリセットデータ取得手段２０８’は、この供給された位置情報データに対応するチューナプリセットデータを求める。この場合、取得されるチューナプリセットデータは、ユーザ側のテレビ受信機一体型携帯電話装置１０６の所在場所を含む放送地域内で受信可能な各放送波のチャンネル情報であって、ユーザ側のテレビ受信機一体型携帯電話装置１０６のチューナ／復調部２０１にプリセットされているものである。例えば、このチューナプリセットデータは、予め放送地域別に対応させてデータベース化されており、位置情報データから対応する放送地域のチューナプリセットデータを容易に求めることが可能になっている。
【０２３４】
そして、チューナプリセットデータ取得手段２０８’によって、ユーザ側のテレビ受信機一体型携帯電話装置１０６の所在場所で受信可能な放送波全てのチャンネル情報が取得されると、制御部／信号処理部２３１’は、同系列局特定手段２０６’に自局側（この場合、通話相手側）における同系列局の特定を行わせる。
【０２３５】
同系列局特定手段２０６’は、チューナプリセットデータ取得手段２０８’が取得したユーザ側で受信可能な放送波全てのチャンネル情報に対して、自局側で現在受信可能な放送波全てすなわち自局側のチューナプリセットデータの中から、その同系列局を特定する。同系列局特定手段２０６’によって特定された、ユーザ側で受信可能な放送波と同系列局の通話相手側で現在受信可能な放送波のチャンネル情報は、制御部／信号処理部２３１’を介して、不揮発性メモリ２３２’、またはＲＡＭ２３３’に記録される（ステップＳ６０６）。
【０２３６】
テレビ受信機部２００’の制御部／信号処理部２３１’は、前述のステップＳ６０５で不揮発性メモリ２３２’又はＲＡＭ２３３’に記録したユーザ側で現在視聴中であるテレビ番組の選局情報（“network_id”，“transport_stream_id”，及び“service_id”）、及び上述のステップＳ６０６で不揮発性メモリ２３２’又はＲＡＭ２３３’に記録したユーザ側で現在受信可能な放送波の中の自局側（この場合、通話相手側）で受信可能な同系列局のチャンネル情報を読み出し、選局情報設定手段２０４’によりチューナ／復調部２０１’を設定する（ステップＳ６０７）。この場合、例えば、選局情報設定手段２０４’は、チューナ／復調部２０１’を調整して、例えば周波数の低い順から、通話相手側で受信可能な同系列局のチャンネル情報に基づき、同系列局の放送波を順次受信させ、この受信した放送チャンネルの多重化されたデータに含まれるＰＳＩ情報の中に、読み出したユーザ側からの選局情報（“network_id”，“transport_stream_id”，及び“service_id”）があるか否かを、制御部／信号処理部２３１’が順次確認することによって行う（ステップＳ６０８）。
【０２３７】
この確認において、選局情報設定手段２０４’によって設定された同系列局の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０６と同じテレビ番組を視聴可能な状態にする（ステップＳ６０９）。
【０２３８】
これにより、テレビ受信機表示部２４２’には、ユーザ側で視聴しているテレビ番組と同じテレビ番組が表示され、通話相手側のテレビ受信機一体型携帯電話装置１０６’でもユーザ側と同じテレビ番組の視聴が開始できるようになる。
【０２３９】
一方、この確認において、選局情報設定手段２０４’によって設定された同系列局の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ６１０）。
【０２４０】
なお、このメッセージ表示の代わりに、携帯電話部３００’の携帯電話表示部５１’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図６では図示省略した着信報知のための振動手段や鳴音手段を作動させることによって、テレビ受信機一体型携帯電話装置１０６’の携帯者である通話相手に明示的に知らせるようにしてもよい。
【０２４１】
また、このテレビ受信機部２００’の制御部／信号処理部２３１’による上記した確認結果は、前述した第１の実施の形態のテレビ受信機一体型携帯電話装置１０１，１０１’の場合のステップＳ１０９，Ｓ１１０，Ｓ１１１と同様にして、通話相手のテレビ受信機一体型携帯電話装置１０６’からユーザのテレビ受信機一体型携帯電話装置１０６に、ユーザが視聴中のテレビ番組が視聴可能であるか否かの確認結果が通知される（ステップＳ６１１）。そして、この確認結果の通知を受信したユーザのテレビ受信機一体型携帯電話装置１０６では、この確認結果をテレビ受信機表示部２４２等を用いてユーザに報知し（ステップＳ６１２）、通信モード切替え手段３０９をデータ通信モードから通話モードに切替えて、ユーザ側及び通話相手側のテレビ受信機一体型携帯電話装置１０６，１０６’間を通信モードから通話モードに自動的復旧し、ユーザ及びその通話相手が通話を再開できるようにする（ステップＳ６１３）。
【０２４２】
この第６の実施の形態により、通話相手が、ユーザが受信している放送波を受信できない地域にいる場合でも、ユーザの位置情報データを通話相手に送信し、通話相手が受信可能な放送波からユーザが受信している放送波の同系列局を特定することにより、ユーザが視聴中の放送波と同系列局の放送波を通話相手に選局させることができる。
【０２４３】
さらに、通話相手は、ユーザによって指定された番組が視聴可能であるか否かを確認でき、さらにユーザ側に通知することによって、ユーザ側も相手方が視聴可能であるか否かを確認できる。
【０２４４】
＜第７の実施の形態＞
次に、本発明の第７の実施の形態によるテレビ受信機一体型携帯電話装置１０７の番組情報伝達構成に関して説明する。
【０２４５】
なお、本実施の形態のテレビ受信機一体型携帯電話装置１０７の装置各部の個別構成については、図６に示したテレビ受信機一体型携帯電話装置１０５と同一又は同様であるので、同一符号を付してその説明は省略する。
【０２４６】
そこで、本発明の第７の実施の形態によるテレビ受信機一体型携帯電話装置１０７の番組情報伝達構成に関して、図６及び図９を参照しながら説明する。
【０２４７】
本実施の形態のテレビ受信機一体型携帯電話装置１０７では、ユーザによるメール通信により、ユーザが特定した相手のテレビ受信機一体型携帯電話装置１０７’に、ユーザが視聴しているテレビ番組を放送している放送波と同系列局の放送波を選局させる番組情報伝達構成になっている。
【０２４８】
図９は、本実施の形態によるテレビ受信機一体型携帯電話装置における番組情報伝達構成を示したフローチャートである。
【０２４９】
ユーザ側、すなわち番組情報送信側のテレビ受信機一体型携帯電話装置１０７では、テレビ受信機部２００によるテレビ放送の視聴中には、テレビ受信機部２００の選局情報取得手段２０２によって、現在視聴中のテレビ番組を放送している放送波の選局情報の取得が行われる（ステップＳ７０１）。この取得された選局情報は、選局情報格納手段２０３に記録される。
【０２５０】
ここで、選局情報には、例えば前述のＰＳＩ情報の中より、ネットワークを識別するための“network_id”（ネットワーク識別）と、ＴＳを識別するための“transport_stream_id”（トランスポートストリーム識別）と、チャンネル（サービス）を識別するための“service_id”（サービス識別）を用いればよい。
【０２５１】
また、ユーザ側のテレビ受信機一体型携帯電話装置１０７では、携帯電話部３００の制御部／信号処理部３３１が、複数のＧＰＳ衛星からの電波を受信して位置を測位するＧＰＳ受信手段３２３に現在の所在位置の位置情報データを取得させ、ＧＰＳ受信手段３２３が取得した位置情報データを、位置情報データ格納手段３２４に記録している（ステップＳ７０２）。なお、本実施の形態ではＧＰＳ受信手段３２３により位置情報データを取得する構成としたが、複数の基地局からの受信電波を用いて測位する構成、外部より通信手段を介して位置情報データを入手する構成としてもよい。
【０２５２】
そして、ユーザは、自分が視聴しているテレビ番組を放送している放送波と同系列局の放送波をメール送信相手に選局させたい場合は、例えば、ユーザ側のテレビ受信機一体型携帯電話装置１０７で、その携帯電話部３００の操作部３４４をユーザがそのテレビ番組の視聴中に所定操作することにより行われる。
【０２５３】
これにより、ユーザ側のテレビ受信機一体型携帯電話装置１０７では、携帯電話部３００の制御部／信号処理部３３１が、テレビ受信機部２００の制御部／信号処理部２３１を介して、テレビ受信機部２００の選局情報格納手段２０３に記録された選局情報、及び位置情報データ格納手段３２４に記録された位置情報データ（現在の携帯電話基地局７００のデータ）の提供を受け、この選局情報及び位置情報データをメール送信手段３２０に供給する。
【０２５４】
そして、メール送信手段３２０は、ユーザにより設定されたメール送信相手宛に、選局情報及び位置情報データが添付された選局情報送信メールを作成する。メール送信手段３２０では、この選局情報送信メールの作成の際には、送信先のメールアドレスの入力ボックスが開かれ、ユーザは操作部３４４を操作してメールのアドレス帳から送信先のメールアドレスを選択したり、入力ボックスに直接メールアドレスを入力したりすることができる構成になっている。
【０２５５】
入力ボックスに送信先のメールアドレスが指定されると、メール送信手段３２０により生成された選局情報送信メールは、制御／信号処理部３３１に供給され、無線送受信回路部３０１を介してアンテナ３４１から携帯電話基地局７００に向けて発信され、ネットワーク上にこの選局情報送信メールが送信される（ステップＳ７０３）。
【０２５６】
一方、メール送信相手のテレビ受信機一体型携帯電話装置１０７’の携帯電話部３００’では、携帯電話基地局７００’から送信される通信電波はアンテナ３４１’で受信され、無線送受信回路３０１’によって検波，復調，誤り訂正といった必要な処理が施され、制御部／信号処理部３３１’に供給される。
【０２５７】
その制御部／信号処理部３３１’では、受信データの復号といった処理が行われ、復号された通信データはメール受信手段３１９’にも供給され、メールの受信が行われる。
【０２５８】
メール受信手段３１９’は、操作部３４４によって受信したメールの開封操作が行われた際、受信したメールが選局情報及びユーザ側（送信元）の位置情報データを含む選局情報送信メールであるか否かを確認し、受信したメールが選局情報送信メールであると認識した場合は、制御部／信号処理部３３１’を介して、選局情報抽出手段３２２’に受信した選局情報送信メールを供給する（ステップＳ７０４）。
【０２５９】
選局情報抽出手段３２２’は、供給された選局情報送信メールから、メール送信者としてのユーザ側の位置情報データと、ユーザが視聴中の番組を受信するための選局情報とを抽出する。
【０２６０】
抽出された位置情報データは、位置情報データ受信手段３２５’に供給され、不揮発性メモリ３３２’、又はＲＡＭ３３３’へ記録される。また、抽出された選局情報は、選局情報受信手段３０２’に供給され、制御部／信号処理部３３１’により、テレビ受信機部２００’の制御部／信号処理部２３１’介して不揮発性メモリ２３２’又はＲＡＭ２３３’に記録される（ステップＳ７０５）。
【０２６１】
そして、制御部／信号処理部３３１’は、不揮発性メモリ３３２’又はＲＡＭ３３３’に記録したユーザ側のテレビ受信機一体型携帯電話装置１０７の位置情報データを読み出し、チューナプリセットデータ取得手段２０８’に供給する。
【０２６２】
チューナプリセットデータ取得手段２０８’は、この供給された位置情報データに対応するチューナプリセットデータを求める。この場合、取得されるチューナプリセットデータは、ユーザ側のテレビ受信機一体型携帯電話装置１０７の所在場所を含む放送地域内で受信可能な各放送波のチャンネル情報であって、ユーザ側のテレビ受信機一体型携帯電話装置１０７のチューナ／復調部２０１にプリセットされているものである。例えば、このチューナプリセットデータは、予め放送地域別に対応させてデータベース化されており、位置情報データから対応する放送地域のチューナプリセットデータを容易に求めることが可能になっている。
【０２６３】
そして、チューナプリセットデータ取得手段２０８’によって、ユーザ側のテレビ受信機一体型携帯電話装置１０７の所在場所で受信可能な放送波全てのチャンネル情報が取得されると、制御部／信号処理部２３１’は、同系列局特定手段２０６’に自局側（この場合、通話相手側）における同系列局の特定を行わせる。
【０２６４】
同系列局特定手段２０６’は、チューナプリセットデータ取得手段２０８’が取得したユーザ側で受信可能な放送波全てのチャンネル情報に対して、自局側で現在受信可能な放送波全てすなわち自局側のチューナプリセットデータの中から、その同系列局を特定する。同系列局特定手段２０６’によって特定された、ユーザ側で受信可能な放送波と同系列局の通話相手側で現在受信可能な放送波のチャンネル情報は、制御部／信号処理部２３１’を介して、不揮発性メモリ２３２’、またはＲＡＭ２３３’に記録される（ステップＳ７０６）。
【０２６５】
テレビ受信機部２００’の制御部／信号処理部２３１’は、前述のステップＳ７０５で不揮発性メモリ２３２’又はＲＡＭ２３３’に記録したユーザ側で現在視聴中であるテレビ番組の選局情報（“network_id”，“transport_stream_id”，及び“service_id”）、及び上述のステップＳ７０６で不揮発性メモリ２３２’又はＲＡＭ２３３’に記録したユーザ側で現在受信可能な放送波の中の自局側（この場合、通話相手側）で受信可能な同系列局のチャンネル情報を読み出し、選局情報設定手段２０４’によりチューナ／復調部２０１’を設定する（ステップＳ７０７）。この場合、例えば、選局情報設定手段２０４’は、チューナ／復調部２０１’を調整して、例えば周波数の低い順から、通話相手側で受信可能な同系列局のチャンネル情報に基づき、同系列局の放送波を順次受信させ、この受信した放送チャンネルの多重化されたデータに含まれるＰＳＩ情報の中に、読み出したユーザ側からの選局情報（“network_id”，“transport_stream_id”，及び“service_id”）があるか否かを、制御部／信号処理部２３１’が順次確認することによって行う（ステップＳ７０８）。
【０２６６】
この確認において、選局情報設定手段２０４’によって設定された同系列局の放送チャンネルのＰＳＩ情報の中に、ユーザ側からの選局情報（“network_id”，“transport_stream_id”，及び“service_id”）がある場合は、制御部／信号処理部２３１’は、その選局情報に対応するテレビ番組をテレビ受信機表示部２４２’に表示し、ユーザ側のテレビ受信機一体型携帯電話装置１０７と同じテレビ番組を視聴可能な状態にする（ステップＳ７０９）。
【０２６７】
これにより、テレビ受信機表示部２４２’には、ユーザ側で視聴しているテレビ番組と同じテレビ番組が表示され、通話相手側のテレビ受信機一体型携帯電話装置１０７’でもユーザ側と同じテレビ番組の視聴が開始できるようになる。
【０２６８】
一方、この確認において、選局情報設定手段２０４’によって設定された同系列局の放送チャンネルのＰＳＩ情報の中に、ユーザ側からの選局情報（“network_id”，“transport_stream_id”，及び“service_id”）がない場合は、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ７１０）。 
【０２６９】
なお、このメッセージ表示の代わりに、携帯電話部３００’の携帯電話表示部３４２’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図６では図示省略した着信報知のための振動手段や鳴音手段を作動させることによって、テレビ受信機一体型携帯電話装置１０７’の携帯者である通話相手に明示的に知らせるようにしてもよい。
【０２７０】
この第７の実施の形態により、ユーザが特定した相手が、ユーザと同じ放送波を受信できる地域にいる場合でも、いない場合でも、ユーザが選局情報を送信する際に、選局情報とともにユーザ自身の登録基地局データを送信することにより、相手側ではユーザが同じ放送地域にいるか否かを判断でき、異なる放送地域にいる場合には、ユーザの登録基地局データにもとに、相手側で受信可能な同系列の放送波を特定することができ、相手側でユーザが視聴中の放送局と同系列局を選局させることができる。
【０２７１】
さらに、本実施の形態は、ユーザが特定した相手への選局情報の送信は、メールに選局情報とユーザの位置情報データを添付したメールを送付することより行う構成なので、相手側がユーザからの電話呼び出しに対してすぐに応答できず、ユーザ側のテレビ受信機一体型携帯電話装置１０７と相手方のテレビ受信機一体型携帯電話装置１０７'との間の通話接続がはかれない状況であっても、その対応が容易にはかれる。
【０２７２】
例えば、ユーザが特定した相手がユーザ以外の第三者と電話中である等といった理由で、ユーザからの電話呼び出しに対してすぐに応答できない場合であっても、ユーザは、相手のテレビ受信機一体型携帯電話装置１０７'との間の回線接続に関係なく、選局情報を相手側に送信しておくことができる。また、相手も、例えば、第三者と電話が終了する等によって、ユーザからの電話呼び出しに対しては応答できなかったものの、メールが受信できるようになりさえすれば、ユーザが視聴しているテレビ番組と同じテレビ番組を視聴できるようになる。
【０２７３】
なお、本実施の形態では、選局情報送信メールを生成して送信するユーザ側のテレビ受信機、及びユーザ側からの選局情報送信メールを受信してユーザ側が視聴しているテレビ番組と同じテレビ番組を視聴するメール送信相手側のテレビ受信機のいずれとも、電話（通話）機能を備えたテレビ受信機一体型携帯電話装置１０７，１０７'と説明したが、ユーザ側のテレビ受信機及びメール送信相手側のテレビ受信機は、メールの送信／受信が可能な通信機能を備えているものであるならば、電話（通話）機能を備えていなくてもよく、テレビ受信機能及び通信機能を備えたＰＤＡ，モバイルＰＣ等といったものであってもよい。
【０２７４】
また、本実施の形態では、メール送信相手側のテレビ受信機では、選局情報送信メールの開封時に、ユーザが視聴しているテレビ番組を放送している放送波と同系列局の放送波を選局させる番組情報伝達構成としたが、選局情報送信メールの受信時に、受信したメールが選局情報送信メールであり、ユーザが視聴しているテレビ番組を放送している放送波と同系列局の放送波の受信を開始するか否か、すなわち選局情報送信メールの開封をメール送信相手に確認する構成を備えていてもよい。
【０２７５】
＜第８の実施の形態＞
図１０は、本発明の第８の実施の形態によるテレビ受信機一体型携帯電話装置の構成図である。
【０２７６】
なお、本実施の形態のテレビ受信機一体型携帯電話装置１０８の説明にあたっては、図１に示した第１の実施の形態によるテレビ受信機一体型携帯電話装置１０１及び図６に示した第５の実施の形態によるテレビ受信機一体型携帯電話装置１０５と同一又は同様な構成部分については、同一符号を付してその詳細な説明は省略する。
【０２７７】
本実施の形態のテレビ受信機一体型携帯電話装置１０８は、携帯電話部３００には、ＥＰＧ情報受信手段３１１及びＥＰＧ情報送出手段３１２を備え、ＥＰＧ（Electric Program Guide）情報が送受信可能になっている。
【０２７８】
また、テレビ受信機部２００には、ＥＰＧ情報取得手段２１１，ＥＰＧ情報格納手段２１２，ＥＰＧ情報設定手段２１３が備えられ、ＥＰＧ情報取得手段２１１によって地上デジタルデータ放送やインターネットの所定サイトからＥＰＧ情報が取得され、ＥＰＧ情報格納手段２１２に格納される構成になっている。ＥＰＧ情報設定手段２１３は、ユーザによって指定されたテレビ番組及びそのチャンネルのＥＰＧ情報が設定される構成になっている。
【０２７９】
また、テレビ受信機部２００には、視聴予約手段２１５，番組記録予約手段２１６，番組記録手段２１７が備えられ、ＥＰＧ情報によって指定されたテレビ番組が後で放送される場合、その視聴を予約したり、その録画予約及び録画を行える構成になっている。
【０２８０】
次に、本実施の形態のテレビ受信機一体型携帯電話装置１０８において、ユーザが現在視聴中のテレビ番組の情報を通話相手に送信する場合の番組情報伝達構成について、図１０及び図１１を参照しながら詳細に説明する。
【０２８１】
なお、その説明に当たって、図１０に示した本実施の形態によるテレビ受信機一体型携帯電話装置１０８及びその各部に関し、ユーザ側すなわち番組情報送信局側のテレビ受信機一体型携帯電話装置としてではなく、通話相手側すなわち番組情報受信局側のテレビ受信機一体型携帯電話装置として機能する場合については、図１０の各部に付した符号数字にダッシュ（ ’）を付して表わし、番組情報送信局側である場合と番組情報受信局側である場合とで区別して説明する。
【０２８２】
本実施の形態では、ユーザが、テレビ受信機一体型携帯電話装置１０８でテレビ番組を視聴しているときに、着呼又は発呼に基づいて特定の相手と通話を行っている場合に、相手方のテレビ受信機一体型携帯電話装置１０８’に、ユーザが視聴しているテレビ番組を放送している放送波と同系列局の放送波を選局させる番組情報伝達構成になっている。
【０２８３】
図１１は、本実施の形態によるテレビ受信機一体型携帯電話装置における番組情報伝達構成を示したフローチャートである。
【０２８４】
ユーザ側、すなわち番組情報送信局側のテレビ受信機一体型携帯電話装置１０８では、ＥＰＧ情報取得手段２１１により、現在、テレビ受信機一体型携帯電話装置１０８によって受信可能な放送波全てのＥＰＧ情報を取得し、ＥＰＧ情報格納手段２１２に記録する（ステップＳ８０１）。
【０２８５】
ユーザは、通話相手に通知したいテレビ番組がある場合は、例えば操作部３４４を操作して、制御部／信号処理部３３１を介して、ＥＰＧ情報格納手段２１２に記録された受信可能な放送波全てのＥＰＧ情報の中から、通話相手に通知したいテレビ番組を特定（選択）する。なお、本実施の形態では、この特定の際に、通知したいテレビ番組が現在視聴している番組なのか、これから放送予定の番組なのかも併せて指定する構成になっている。そして、このようにして特定されたテレビ番組のＥＰＧ情報は、制御部／信号処理部３３１を介して、テレビ受信機部２００の不揮発性メモリ２３２又はＲＡＭ２３３に記録される（ステップＳ８０２）。
【０２８６】
この通話相手に通知したいテレビ番組の特定操作は、通話中に行われるだけのものではなく、通話相手に電話する前に予め行っておくことも可能である。なお、この場合は、ユーザは、通話相手に通知したいテレビ番組の特定操作を行ってから、通話相手の発呼を行い、相手と通話開始することになる。
【０２８７】
その上で、ユーザは、通話中に、ユーザ自身が指定したテレビ番組を通話相手側に選局させたい場合は、テレビ受信機一体型携帯電話装置１０８の携帯電話部３００の通信モード切替え手段３０９を、通話モードからデータ通信モードに切替える（ステップＳ８０３）。この切替えは、例えば、ユーザ側のテレビ受信機一体型携帯電話装置１０８で、その携帯電話部３００の操作部３４４をユーザが所定操作することにより行われる。
【０２８８】
これにより、ユーザ側のテレビ受信機一体型携帯電話装置１０８では、携帯電話部３００の通信モード切替え手段３０９がデータ通信モードに切替わり、その制御部／信号処理部３３１も、通話モードからデータ通信モードに切替えられ、通話相手側のテレビ受信機一体型携帯電話装置１０８’との間でデータ通信モードを確立する。
【０２８９】
そして、ユーザ側のテレビ受信機一体型携帯電話装置１０８では、通話相手側とのデータ通信モードが確立されると、携帯電話部３００の制御部／信号処理部３３１が、テレビ受信機部２００の制御部／信号処理部２３１を介して、テレビ受信機部２００の不揮発性メモリ２３２又はＲＡＭ２３３に記録されているユーザによって指定されたテレビ番組のＥＰＧ情報の提供を受け、ユーザによって指定されたテレビ番組の番組ＥＰＧ情報をＥＰＧ情報送出手段３１２に供給する。
【０２９０】
ここで番組ＥＰＧ情報は、例えばＭＰＥＧ２システム方式で多重されたデータに含まれるＳＩ（Service Information，番組配列情報）情報に含まれる、番組のタイトル、放送日時、放送内容等の番組を特定できるデータである。
【０２９１】
ＥＰＧ情報送出手段３１２は、この供給されたテレビ番組の番組ＥＰＧ情報に基づき、通話相手側のテレビ受信機一体型携帯電話装置１０８’への番組ＥＰＧ情報送出データを生成する。
【０２９２】
制御部／信号処理部３３１は、この生成された番組ＥＰＧ情報送出データに符号化といった必要な処理を施した後、無線送受信回路部３０１に供給する。この必要な処理が施された番組ＥＰＧ情報送出データは、無線送受信回路部３０１で変調され、アンテナ３４１から携帯電話基地局７００（ユーザ側の登録基地局に対応する）に向けて送出される（ステップＳ８０４）。
【０２９３】
同じくユーザ側との間でデータ通信モードが確立された通話相手側のテレビ受信機一体型携帯電話装置１０８’の携帯電話部３００’では、携帯電話基地局７００’（通話相手側の登録基地局に対応する）から送信される通信電波はアンテナ３４１’で受信され、無線送受信回路３０１’によって検波，復調，誤り訂正といった必要な処理が施され、制御部／信号処理部３３１’に供給される。
【０２９４】
その制御部／信号処理部３３１’では、受信データの復号といった処理が行われ、復号された通信データはＥＰＧ情報受信手段３１１’に供給され、ユーザ側から送出されたユーザによって指定された番組ＥＰＧ情報送出データの受信が行われる。
【０２９５】
ＥＰＧ情報受信手段３１１’は、番組ＥＰＧ情報送出データの受信が行われると、番組ＥＰＧ情報送出データに含まれる指定された番組のＥＰＧ情報を抽出し、この指定された番組のＥＰＧ情報は、制御部／信号処理部３３１’により、テレビ受信機部２００’の制御部／信号処理部２３１’介して不揮発性メモリ２３２’又はＲＡＭ２３３’に記録される（ステップＳ８０５）。
【０２９６】
テレビ受信機部２００’の制御部／信号処理部２３１’は、ユーザ側によって指定された番組のＥＰＧ情報を取得すると、ＥＰＧ情報取得手段２１１’により、現在、テレビ受信機一体型携帯電話装置１０８’によって受信可能な放送波全てのＥＰＧ情報（既に放送済の番組についての部分は除く）を取得し、ＥＰＧ情報格納手段２１２’に記録する（ステップＳ８０６）。
【０２９７】
次に、テレビ受信機部２００’の制御部／信号処理部２３１’は、番組特定手段２０７’に自局側（この場合、通話相手側）におけるユーザ側によって指定された番組の特定を行わせる。
【０２９８】
番組特定手段２０７’は、例えば、前述のステップＳ８０５によりＥＰＧ情報受信手段３１１’で受信され、テレビ受信機部２００’の不揮発性メモリ２３２’又はＲＡＭ２３３’に記録されているユーザによって指定された番組のＥＰＧ情報（番組のタイトル、放送日時、放送内容等の番組を特定できるデータ）をもとに、ＥＰＧ情報取得手段２１１’により取得され、ＥＰＧ情報格納手段２１２’に格納されているテレビ受信機一体型携帯電話装置１０８’によって受信可能な放送波全てのＥＰＧ情報を照会し、ユーザによって指定された番組が通話相手側で受信可能な放送波全ての番組の中にあるか否かを確認する（ステップＳ８０７，Ｓ８０８）。この確認の際、ユーザによって指定された番組が通話相手側で受信可能な放送波全ての番組の中にあった場合は、ユーザによって指定された番組に対する通話相手側で受信可能な対応番組のＥＰＧ情報（番組のタイトル、放送日時、放送内容等の番組を特定できるデータ）は、制御部／信号処理部２３１’によって、不揮発性メモリ２３２’又はＲＡＭ２３３’に記録される。
【０２９９】
この番組特定手段２０７’による確認結果に基づき、テレビ受信機部２００’の制御部／信号処理部２３１’は、ユーザによって指定されたテレビ番組が通話相手側で受信可能な番組の中にある場合は、現在、視聴可能であるか否かを判断する（ステップＳ８０９，Ｓ８１０）。この場合、制御部／信号処理部２３１’は、不揮発性メモリ２３２’又はＲＡＭ２３３’に記録した対応番組のＥＰＧ情報を読み出し、この特定された対応番組が現在放送中の番組か、今後に放送予定の番組であるかを判断する。
【０３００】
本実施の形態では、この現在放送中の番組か、今後に放送予定の番組であるかの判断は、例えば、選局情報設定手段２０４’又はＥＰＧ情報設定手段２１３’の既存設定内容に基づき、アンテナ２４１’を介してチューナ／復調部２０１’によって受信される現状の放送波のＳＩ（Service Information，番組配列情報）情報の中のＴＯＴ（Time Offset Table）情報に含まれる現在時刻情報と、特定された対応番組のＥＰＧ情報に含まれる番組の放送日時情報を比較することによって判断する。
【０３０１】
これにより、特定された対応番組が現在放送中であると判断された場合は、テレビ受信機部２００’の制御部／信号処理部２３１’は、この特定された対応番組のＥＰＧ情報をＥＰＧ情報設定手段２１３’に供給し、このＥＰＧ情報設定手段２１３’に設定された対応番組のＥＰＧ情報に基づいてチューナ／復調部２０１’を作動させて、特定された対応番組をテレビ受信機表示部２４２’に表示し、ユーザによって指定されたテレビ番組を視聴可能な状態にする（ステップＳ８１１）。
【０３０２】
これに対し、特定された対応番組が今後に放送予定の番組であると判断された場合は、テレビ受信機部２００’の制御部／信号処理部２３１’は、この特定された対応番組のＥＰＧ情報を視聴予約手段２１５’又は番組記録予約手段２１６’に供給し、番組の放送日時における視聴予約又は番組記録予約を設定する（ステップＳ８１２）。
【０３０３】
ここで、視聴予約手段２１５’及び番組記録予約手段２１６’について説明すれば、視聴予約手段２１５’は、設定された番組のＥＰＧ情報に基づき、例えばその放送日時になると、例えば、制御部／信号処理部２３１’によってその旨をテレビ受信機表示部２４２’に表示させたり、設定された番組を受信してテレビ受信機表示部２４２’等に表示させたり等、設定された番組の視聴し忘れの防止をはかる。また、番組記録予約手段２１６’は、設定された番組のＥＰＧ情報に基づき、例えばその放送日時になると、例えば、電源をＯＮし、制御部／信号処理部２３１’によって番組記録手段２１７’を制御し、その設定された番組をその不揮発性メモリ２３２’等に自動記録させる。
【０３０４】
なお、視聴予約や録画予約する場所や機器については、テレビ受信機一体型携帯電話装置１０８’におけるテレビ受信機表示部２４２’や不揮発性メモリ２３２’に限るものではなく、さらに携帯電話部２００’に設けられた記録番組受信手段３１７’及び記録番組送出手段３１８’を利用して別のテレビ受信機一体型携帯電話装置１０８”や別の機器にその設定された番組の映像／音声データを送出し、別のテレビ受信機一体型携帯電話装置１０８”や別の機器によって視聴や録画することも可能である。
【０３０５】
この場合、別の機器の選択は、前述のステップＳ８０９，Ｓ８１０による今後に放送予定の番組であるとの判断時やその放送日時に、テレビ受信機表示部２４２’又は携帯電話表示部３４２’に、予め設定され不揮発性メモリ２３２’又は３３２’に記録された複数の映像／音声データの送出先を表示し、この中から所望の送出先を操作部３４４’を操作して選択することで行うことができ、また、前述の判断時やその放送日時とは関係なしに、予め不揮発性メモリ２３２’又は３３２’に所望の送出先を予め設定しておき、この設定された機器に対して自動的に番組の映像／音声データを送出することも可能である。
【０３０６】
また、視聴予約又は録画予約する特定された対応番組のＥＰＧ情報の記録先や、録画予約され番組記録手段２１７’によって記録される映像／音声データの記録先については、不揮発性メモリ２３２’又はＲＡＭ２３３’に限らず、小型化かつ利便性がはかれテレビ受信機一体型携帯電話装置１０８”に対して取り外しが可能なメモリーカード等の記録メディアを用いてもよい。
【０３０７】
また、記録番組受信手段３１７’及び記録番組送出手段３１８’による映像／音声データの送出については、メールや他の通信手段（例えば、赤外線通信、Bluetooth通信等の無線通信手段）を別途設けて、ビデオレコーダー，ホームサーバー，パーソナルコンピュータ，ネットワーク対応のテレビといった外部機器に対して送出し、これら外部機器によって特定された対応番組を視聴又は記録することも可能である。
【０３０８】
これにより、通話相手側でユーザによって指定された番組が自動的に選局され、視聴できるようになる。
【０３０９】
一方、前述のステップＳ８０７，Ｓ８０８において、ユーザによって指定された番組の対応番組が無かった場合には、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ８１３）。
【０３１０】
なお、このメッセージ表示の代わりに、携帯電話部３００’の携帯電話表示部５１’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１０では図示省略した着信報知のための振動手段や鳴音手段を作動させることによって、テレビ受信機一体型携帯電話装置１０８’の携帯者である通話相手に明示的に知らせるようにしてもよい。
【０３１１】
また、このテレビ受信機部２００’の制御部／信号処理部２３１’による上記した確認結果は、前述した第１の実施の形態のテレビ受信機一体型携帯電話装置１０１，１０１’の場合のステップＳ１０９，Ｓ１１０，Ｓ１１１と同様にして、通話相手のテレビ受信機一体型携帯電話装置１０８’からユーザのテレビ受信機一体型携帯電話装置１０８に、ユーザが視聴中のテレビ番組が視聴可能であるか否かの確認結果が通知される（ステップＳ８１４）。そして、この確認結果の通知を受信したユーザのテレビ受信機一体型携帯電話装置１０８では、この確認結果をテレビ受信機表示部２４２等を用いてユーザに報知し（ステップＳ８１５）、通信モード切替え手段３０９をデータ通信モードから通話モードに切替えて、ユーザ側及び通話相手側のテレビ受信機一体型携帯電話装置１０８，１０８’間を通信モードから通話モードに自動的復旧し、ユーザ及びその通話相手が通話を再開できるようにする（ステップＳ８１６）。
【０３１２】
この第８の実施の形態により、通話相手が、ユーザによって指定されたテレビ番組のＥＰＧ情報を通話相手に送信し、通話相手が受信可能な放送波全てのＥＰＧ情報の中からユーザから送信されてきた指定されたテレビ番組のＥＰＧ情報に基づいて指定された対応番組を特定することにより、ユーザによって指定されたテレビ番組を自動的に通話相手に選局させることができる。
【０３１３】
さらに、通話相手は、ユーザによって指定された番組が視聴可能であるか否かを確認でき、さらにユーザ側に通知することによって、ユーザ側も相手方が視聴可能であるか否かを確認できる。
【０３１４】
＜第９の実施の形態＞
次に、本発明の第９の実施の形態によるテレビ受信機一体型携帯電話装置１０９の番組情報伝達構成に関して説明する。
【０３１５】
なお、本実施の形態のテレビ受信機一体型携帯電話装置１０９の構成は、図１０に示したテレビ受信機一体型携帯電話装置１０８とはテレビ受信機部２００及び携帯電話部３００における制御部／信号処理部２３１，３３１による各部の制御構成が異なるものの、装置各部の個別構成については図１０に示したテレビ受信機一体型携帯電話装置１０８と同一又は同様であるので、同一符号を付してその説明は省略する。
【０３１６】
そこで、本発明の第９の実施の形態によるテレビ受信機一体型携帯電話装置１０９の番組情報伝達構成に関して、図１０及び図１２を参照しながら説明する。
【０３１７】
本実施の形態の番組情報伝達構成は、第８の実施の形態の場合と同じく、ユーザが、テレビ受信機一体型携帯電話装置１０９でテレビ番組を視聴しているときに、着呼又は発呼に基づいて特定の相手と通話を行っている場合に、相手方のテレビ受信機一体型携帯電話装置１０９’に、ユーザが視聴しているテレビ番組を放送している放送波と同系列局の放送波を選局させる状況を想定している。
【０３１８】
図１２は、本実施の形態によるテレビ受信機一体型携帯電話装置における番組情報伝達構成を示したフローチャートである。
【０３１９】
ユーザは、自分が視聴しているテレビ番組を放送している放送波と同系列局の放送波を通話相手側に選局させたい場合は、通話中に、テレビ受信機一体型携帯電話装置１０９の携帯電話部３００の通信モード切替え手段３０９を、通話モードからデータ通信モードに切替える（ステップＳ９０１）。この切替えは、例えば、ユーザ側のテレビ受信機一体型携帯電話装置１０９で、その携帯電話部３００の操作部３４４をユーザが所定操作することにより行われる。
【０３２０】
これにより、ユーザ側のテレビ受信機一体型携帯電話装置１０９では、携帯電話部３００の通信モード切替え手段３０９がデータ通信モードに切替わり、その制御部／信号処理部３３１も、通話モードからデータ通信モードに切替えられ、通話相手側のテレビ受信機一体型携帯電話装置１０９’との間でデータ通信モードを確立する。
【０３２１】
そして、ユーザ側のテレビ受信機一体型携帯電話装置１０９では、通話相手側とのデータ通信モードが確立されると、本実施の形態の場合は、携帯電話部３００の制御部／信号処理部３３１は、通話相手側で、テレビ受信機一体型携帯電話装置１０８によって現在受信可能な放送波全てのＥＰＧ情報の送信要求を生成し、この生成した相手側ＥＰＧ情報の送信要求に符号化といった必要な処理を施した後、無線送受信回路部３０１で変調し、アンテナ３４１からこの相手側ＥＰＧ情報の送信要求を含む通信電波を携帯電話基地局７００（ユーザ側の登録基地局に対応する）に向けて送出する（ステップＳ９０２）。
【０３２２】
ここで、ＥＰＧ情報は、例えば先述のＳＩ（Service Information，番組配列情報）情報に含まれる、番組のタイトル、放送日時、放送内容等の番組を特定できるデータである。
【０３２３】
これに対し、同じくユーザ側との間でデータ通信モードが確立された通話相手側のテレビ受信機一体型携帯電話装置１０５’の携帯電話部３００’では、携帯電話基地局７００’（相手側の登録基地局に対応する）から送信される通信電波は、アンテナ３４１’で受信され、無線送受信回路３０１’によって検波，復調，誤り訂正といった必要な処理が施され、制御部／信号処理部３３１’に供給される。
【０３２４】
制御部／信号処理部３３１’では、通信データの復号といった処理が行われ、復号された通信データが通話相手であるユーザ側からの現在受信可能な放送波全てのＥＰＧ情報の送信要求である場合は、ＥＰＧ情報送出手段３１２’に後述のＥＰＧ情報送出データを生成させる。
【０３２５】
その際、通話相手側のテレビ受信機一体型携帯電話装置１０９’では、携帯電話部３００’の制御部／信号処理部３３１’が、テレビ受信機部２００’の制御部／信号処理部２３１’を介してＥＰＧ情報取得手段２１１’により、現在、テレビ受信機一体型携帯電話装置１０９’で受信可能な放送波全てのＥＰＧ情報を取得させ、ＥＰＧ情報格納手段２１２’に記録させる（ステップＳ９０３）。
【０３２６】
ＥＰＧ情報送出手段３１２’は、このＥＰＧ情報格納手段２１２’に記録された受信可能な放送波全てのＥＰＧ情報に基づき、ユーザ側のテレビ受信機一体型携帯電話装置１０９へのＥＰＧ情報送出データを生成し、制御部／信号処理部３３１’は、この生成されたＥＰＧ情報送出データに符号化といった処理を施し、無線送受信回路部３０１’で変調してアンテナ３４１’から携帯電話基地局７００’に送出する（ステップＳ９０４）。
【０３２７】
一方、データ通信モードが確立されたユーザ側のテレビ受信機一体型携帯電話装置１０９の携帯電話部３００でも、携帯電話基地局７００（ユーザ側の登録基地局に対応する）から送信される通信電波は、アンテナ３４１で受信され、無線送受信回路３０１によって検波，復調，誤り訂正といった必要な処理が施され、制御部／信号処理部３３１に供給される。
【０３２８】
制御部／信号処理部３３１では、受信データの復号が行われ、復号された受信データはＥＰＧ情報受信手段３１１に供給され、通話相手側で受信可能な放送波全てのＥＰＧ情報を含むＥＰＧ情報送出データの受信が行われる。
【０３２９】
ユーザ側のテレビ受信機一体型携帯電話装置１０９では、ＥＰＧ情報受信手段によって受信された通話相手側で受信可能な放送波全てのＥＰＧ情報は、制御部／信号処理部３３１により、制御部／信号処理部２３１を介してテレビ受信機部２００の不揮発性メモリ２３２又はＲＡＭ２３３に記録される（ステップＳ９０５）。
【０３３０】
そして、テレビ受信機部２００’の制御部／信号処理部２３１は、番組特定手段２０７に通話相手側で受信可能な放送波全てのＥＰＧ情報の中からユーザ側によって指定された番組の特定を行わせる。
【０３３１】
番組特定手段２０７は、例えば、ユーザが現在視聴中の番組を選択する際、ＥＰＧ格納手段２１２に格納されているユーザ側で受信可能な放送波全てのＥＰＧ情報の中からＥＰＧ情報設定手段２１３に設定するために選択し、不揮発性メモリ２３２又はＲＡＭ２３３に記録してある現在視聴中の番組のＥＰＧ情報（番組のタイトル、放送日時、放送内容等の番組を特定できるデータ）をもとに、不揮発性メモリ２３２又はＲＡＭ２３３に記録した通話相手のテレビ受信機一体型携帯電話装置１０９’によって受信可能な放送波全てのＥＰＧ情報を照会し、ユーザが現在視聴中の番組に該当する番組を通話相手側で受信可能な放送波全ての番組の中から特定する（ステップＳ９０６）。
【０３３２】
番組特定手段２０７は、その特定において、ユーザが現在視聴中の番組に該当する番組が通話相手のテレビ受信機一体型携帯電話装置１０９’によって受信可能な放送波全てのＥＰＧ情報の中にあった場合は、その該当する番組のＥＰＧ情報を番組特定結果として出力し、ユーザが現在視聴中の番組に該当する番組が通話相手のテレビ受信機一体型携帯電話装置１０９’によって受信可能な放送波全てのＥＰＧ情報の中になかった場合は、その旨が番組特定結果として出力される。
【０３３３】
番組特定手段２０７が現在視聴中の番組を通話相手側で受信可能な放送波全ての番組の中から特定すると、テレビ受信機部２００の制御部／信号処理部２３１は、携帯電話部３００の制御部／信号処理部３３１を介して、その番組特定結果をＥＰＧ情報送出手段３１２に供給する。
【０３３４】
ＥＰＧ情報送出手段３１２は、この番組特定手段２０７によって特定されたユーザ側で現在視聴中の番組に対応する通話相手側で受信可能な対応番組の番組特定結果に基づき、通話相手側のテレビ受信機一体型携帯電話装置１０９’への番組特定結果送出データを生成し、制御部／信号処理部３３１は、この生成された番組特定結果送出データに符号化といった処理を施し、無線送受信回路部３０１で変調してアンテナ３４１から携帯電話基地局７００に向けて送出する（ステップＳ９０７）。
【０３３５】
通話相手側のテレビ受信機一体型携帯電話装置１０９’の携帯電話部３００’では、アンテナ部３４１’及び無線送受信回路部３０１’を介して携帯電話基地局７００’から送信される通信電波を受信し、その受信電波がテレビ受信機一体型携帯電話装置１０９から送出された番組特定結果送出データに関するものであるならば、ＥＰＧ情報受信手段３１１’に供給する。
【０３３６】
ＥＰＧ情報受信手段３１１’は、番組特定結果送出データの受信が行われると、番組特定結果送出データに含まれる番組特定結果を抽出し、この番組特定結果は、制御部／信号処理部３３１’により、テレビ受信機部２００’の制御部／信号処理部２３１’介して不揮発性メモリ２３２’又はＲＡＭ２３３’に記録される（ステップＳ９０８）。
【０３３７】
テレビ受信機部２００’の制御部／信号処理部２３１’は、この不揮発性メモリ２３２’又はＲＡＭ２３３’に記録された番組特定結果に基づき、自身側（この場合、通話相手側）で、ユーザ側で指定されたテレビ番組が視聴可能であるか否かを判断する（ステップＳ９０９）。
【０３３８】
そして、この判断結果に基づいて、前述した第８の実施の形態におけるステップＳ８０９以下の処理と同様なステップＳ９１０以下の処理を行う。
【０３３９】
すなわち、この番組特定結果に基づき、テレビ受信機部２００’の制御部／信号処理部２３１’は、番組特定結果として通話相手側で受信可能な対応番組の番組ＥＰＧ情報がある場合は、現在、その対応番組が視聴可能であるか否かを判断する（ステップＳ９１０，Ｓ９１１）。この場合、制御部／信号処理部２３１’は、不揮発性メモリ２３２’又はＲＡＭ２３３’に記録した番組特定結果に含まれる対応番組の番組ＥＰＧ情報を読み出し、この特定された対応番組が現在放送中の番組か、今後に放送予定の番組であるかを判断する。
【０３４０】
本実施の形態では、この現在放送中の番組か、今後に放送予定の番組であるかの判断は、例えば、選局情報設定手段２０４’又はＥＰＧ情報設定手段２１３’の既存設定内容に基づき、アンテナ２４１’を介してチューナ／復調部２０１’によって受信される現状の放送波のＳＩ情報の中のＴＯＴ情報に含まれる現在時刻情報と、特定された対応番組の番組ＥＰＧ情報に含まれる番組の放送日時情報を比較することによって判断する。
【０３４１】
これにより、番組特定結果としての対応番組が現在放送中であると判断された場合は、テレビ受信機部２００’の制御部／信号処理部２３１’は、この特定された対応番組の番組ＥＰＧ情報をＥＰＧ情報設定手段２１３’に供給し、このＥＰＧ情報設定手段２１３’に設定された対応番組の番組ＥＰＧ情報に基づいてチューナ／復調部２０１’を作動させて、特定された対応番組をテレビ受信機表示部２４２’に表示し、ユーザによって指定されたテレビ番組を視聴可能な状態にする（ステップＳ９１２）。
【０３４２】
これに対し、番組特定結果としての対応番組が今後に放送予定の番組であると判断された場合は、テレビ受信機部２００’の制御部／信号処理部２３１’は、この特定された対応番組の番組ＥＰＧ情報を視聴予約手段２１５’又は番組記録予約手段２１６’に供給し、番組の放送日時における視聴予約又は番組記録予約を設定する（ステップＳ９１３）。
【０３４３】
ここで、視聴予約手段２１５’及び番組記録予約手段２１６’について説明すれば、視聴予約手段２１５’は、設定された番組の番組ＥＰＧ情報に基づき、例えばその放送日時になると、例えば、制御部／信号処理部２３１’によってその旨をテレビ受信機表示部２４２’に表示させたり、設定された番組を受信してテレビ受信機表示部２４２’等に表示させたり等、設定された番組の視聴し忘れの防止をはかる。また、番組記録予約手段２１６’は、設定された番組の番組ＥＰＧ情報に基づき、例えばその放送日時になると、例えば、電源をＯＮし、制御部／信号処理部２３１’によって番組記録手段２１７’を制御し、その設定された番組をその不揮発性メモリ２３２’等に自動記録させる。
【０３４４】
なお、視聴予約や録画予約する場所や機器については、テレビ受信機一体型携帯電話装置１０９’におけるテレビ受信機表示部２４２’や不揮発性メモリ２３２’に限るものではなく、さらに携帯電話部２００’に設けられた記録番組受信手段３１７’及び記録番組送出手段３１８’を利用して別のテレビ受信機一体型携帯電話装置１０９”や別の機器にその設定された番組の映像／音声データを送出し、別のテレビ受信機一体型携帯電話装置１０９”や別の機器によって視聴や録画することも可能である。
【０３４５】
この場合、別の機器の選択は、例えば、前述のステップＳ９１０，Ｓ９１１による今後に放送予定の番組であるとの判断時やその放送日時に、テレビ受信機表示部２４２’又は携帯電話表示部３４２’に、予め設定され不揮発性メモリ２３２’又は３３２’に記録された複数の映像／音声データの送出先を表示し、この中から所望の送出先を操作部３４４’を操作して選択することで行うことができ、また、前述の判断時やその放送日時とは関係なしに、予め不揮発性メモリ２３２’又は３３２’に所望の送出先を予め設定しておき、この設定された機器に対して自動的に番組の映像／音声データを送出することも可能である。
【０３４６】
また、視聴予約又は録画予約する特定された対応番組のＥＰＧ情報の記録先や、録画予約され番組記録手段２１７’によって記録される映像／音声データの記録先については、不揮発性メモリ２３２’又はＲＡＭ２３３’に限らず、小型化かつ利便性がはかれテレビ受信機一体型携帯電話装置１０９”に対して取り外しが可能なメモリーカード等の記録メディアを用いてもよい。
【０３４７】
また、記録番組受信手段３１７’及び記録番組送出手段３１８’による映像／音声データの送出については、メールや他の通信手段（例えば、赤外線通信、Bluetooth通信等の無線通信手段）を別途設けて、ビデオレコーダー，ホームサーバー，パーソナルコンピュータ，ネットワーク対応のテレビといった外部機器に対して送出し、これら外部機器によって特定された対応番組を視聴又は記録することも可能である。
【０３４８】
これにより、通話相手側でユーザによって指定された番組が自動的に選局され、視聴できるようになる。
【０３４９】
一方、前述のステップＳ９１０，Ｓ９１１において、ユーザによって指定された番組の対応番組が無かった場合には、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ９１４）。
【０３５０】
なお、このメッセージ表示の代わりに、携帯電話部３００’の携帯電話表示部５１’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１０では図示省略した着信報知のための振動手段や鳴音手段を作動させることによって、テレビ受信機一体型携帯電話装置１０９’の携帯者である通話相手に明示的に知らせるようにしてもよい。
【０３５１】
また、このテレビ受信機部２００’の制御部／信号処理部２３１’による上記した確認結果は、前述した第１の実施の形態のテレビ受信機一体型携帯電話装置１０１，１０１’の場合のステップＳ１０９，Ｓ１１０，Ｓ１１１と同様にして、通話相手のテレビ受信機一体型携帯電話装置１０９’からユーザのテレビ受信機一体型携帯電話装置１０９に、ユーザが視聴中のテレビ番組が視聴可能であるか否かの確認結果が通知される（ステップＳ９１５）。そして、この確認結果の通知を受信したユーザのテレビ受信機一体型携帯電話装置１０９では、この確認結果をテレビ受信機表示部２４２等を用いてユーザに報知し（ステップＳ９１６）、通信モード切替え手段３０９をデータ通信モードから通話モードに切替えて、ユーザ側及び通話相手側のテレビ受信機一体型携帯電話装置１０９，１０９’間を通信モードから通話モードに自動的復旧し、ユーザ及びその通話相手が通話を再開できるようにする（ステップＳ９１７）。
【０３５２】
本実施の形態によれば、通話相手が、ユーザ自身が受信している放送波を受信できない放送地域にいる場合でも、ユーザは、通話相手から通話相手が受信可能な放送地域のＥＰＧ情報を受け、この通話相手から提供されたＥＰＧ情報の中から、ユーザ側で視聴中のテレビ番組に該当する番組のＥＰＧ情報を特定することができる。
【０３５３】
また、特定された対応番組が現在放送されておらず、今後に放送予定がある番組の場合でも、視聴予約や録画予約をし、後で番組を視聴することができる。
【０３５４】
＜第１０の実施の形態＞
次に、本発明の第１０の実施の形態によるテレビ受信機一体型携帯電話装置１１０の番組情報伝達構成に関して説明する。
【０３５５】
なお、本実施の形態のテレビ受信機一体型携帯電話装置１１０の構成は、図１０に示したテレビ受信機一体型携帯電話装置１０８とはテレビ受信機部２００及び携帯電話部３００における制御部／信号処理部２３１，３３１による各部の制御構成が異なるものの、装置各部の個別構成については図１０に示したテレビ受信機一体型携帯電話装置１０８と同一又は同様であるので、同一符号を付してその説明は省略する。
【０３５６】
そこで、本発明の第１０の実施の形態によるテレビ受信機一体型携帯電話装置１０９の番組情報伝達構成に関して、図１０及び図１３を参照しながら説明する。
【０３５７】
本実施の形態の番組情報伝達構成は、ユーザが、テレビを視聴中に、特定の相手に現在ユーザ自身が視聴中のテレビ番組、又はこれから視聴しようとしているテレビ番組を放送している放送波と同系列局の放送波を選局させる状況を想定している。
【０３５８】
図１３は、本実施の形態によるテレビ受信機一体型携帯電話装置における番組情報伝達構成を示したフローチャートである。
【０３５９】
ユーザ側、すなわち番組情報送信局側のテレビ受信機一体型携帯電話装置１１０では、ＥＰＧ情報取得手段２１１により、現在、テレビ受信機一体型携帯電話装置１１０によって受信可能な放送波全てのＥＰＧ情報を取得し、ＥＰＧ情報格納手段２１２に記録する（ステップＳ１００１）。 
【０３６０】
ユーザは、通話相手に通知したいテレビ番組がある場合は、例えば操作部３４４を操作して、制御部／信号処理部３３１を介して、ＥＰＧ情報格納手段２１２に記録された受信可能な放送波全てのＥＰＧ情報の中から、通話相手に通知したいテレビ番組を特定（選択）する（ステップＳ１００２）。なお、本実施の形態では、この特定の際に、通知したいテレビ番組が現在視聴している番組なのか、これから放送予定の番組なのかも併せて指定する構成になっている。そして、このようにして特定されたテレビ番組のＥＰＧ情報は、制御部／信号処理部３３１を介して、テレビ受信機部２００の不揮発性メモリ２３２又はＲＡＭ２３３に記録される。
【０３６１】
ユーザ側のテレビ受信機一体型携帯電話装置１１０では、携帯電話部３００の制御部／信号処理部３３１が、テレビ受信機部２００の制御部／信号処理部２３１を介して、テレビ受信機部２００の不揮発性メモリ２３２又はＲＡＭ２３３に記録されている特定されたテレビ番組のＥＰＧ情報の提供を受け、このＥＰＧ情報をメール送信手段３２０に供給する。メール送信手段３２０は、ユーザにより設定されたメール送信相手宛に、特定されたテレビ番組のＥＰＧ情報を含む番組ＥＰＧ情報送信メールを作成する。メール送信手段３２０では、この番組ＥＰＧ情報送信メールの作成の際には、送信先のメールアドレスの入力ボックスが開かれ、ユーザは操作部３４４を操作してメールのアドレス帳から送信先のメールアドレスを選択したり、入力ボックスに直接メールアドレスを入力したりすることができる構成になっている。入力ボックスに送信先のメールアドレスが指定されると、メール送信手段３２０により生成された番組ＥＰＧ情報送信メールは、制御／信号処理部３３１に供給され、無線送受信回路部３０１を介してアンテナ３４１から携帯電話基地局７００に向けて発信され、ネットワーク上にこの番組ＥＰＧ情報送信メールが送信される（ステップＳ１００３）。
【０３６２】
この番組ＥＰＧ情報送信メールの作成は、通話中に行ってもよいが、通話する前に行ってから、相手に電話をかけてもよい。
【０３６３】
一方、メール送信相手のテレビ受信機一体型携帯電話装置１１０’の携帯電話部３００’では、携帯電話基地局７００’から送信される通信電波はアンテナ３４１’で受信され、無線送受信回路３０１’によって検波，復調，誤り訂正といった必要な処理が施され、制御部／信号処理部３３１’に供給される。
【０３６４】
その制御部／信号処理部３３１’では、受信データの復号といった処理が行われ、復号された通信データはメール受信手段３１９’にも供給され、メールの受信が行われる（ステップＳ１００４）。
【０３６５】
メール受信手段３１９’は、操作部３４４によって受信したメールの開封操作が行われた際、受信したメールが特定されたテレビ番組のＥＰＧ情報を含む番組ＥＰＧ情報送信メールであるか否かを確認し、受信したメールが番組ＥＰＧ情報送信メールであると認識した場合は、制御部／信号処理部３３１’を介して、選局情報抽出手段３２２’に受信した番組ＥＰＧ情報送信メールを供給する。
【０３６６】
選局情報抽出手段３２２’は、供給された番組ＥＰＧ情報送信メールから、ユーザ側で特定されたテレビ番組の番組ＥＰＧ情報を抽出する。抽出された特定されたテレビ番組の番組ＥＰＧ情報は、ＥＰＧ情報受信手段３１１’に供給され、制御部／信号処理部３３１’により、テレビ受信機部２００’の制御部／信号処理部２３１’介して不揮発性メモリ２３２’又はＲＡＭ２３３’に記録される（ステップＳ１００５）。
【０３６７】
一方、通話相手側のテレビ受信機一体型携帯電話装置１１０’では、テレビ受信機部２００’の制御部／信号処理部２３１’は、ユーザ側によって指定された番組のＥＰＧ情報を取得すると、ＥＰＧ情報取得手段２１１’により、現在、テレビ受信機一体型携帯電話装置１１０’によって受信可能な放送波全てのＥＰＧ情報（既に放送済の番組についての部分は除く）を取得し、ＥＰＧ情報格納手段２１２’に記録する（ステップＳ１００６）。
【０３６８】
次に、テレビ受信機部２００’の制御部／信号処理部２３１’は、番組特定手段２０７’に自局側（この場合、相手側）におけるユーザ側によって指定された番組の特定を行わせる。
【０３６９】
番組特定手段２０７’は、例えば、前述のステップＳ８０５によりＥＰＧ情報受信手段３１１’で受信され、テレビ受信機部２００’の不揮発性メモリ２３２’又はＲＡＭ２３３’に記録されているユーザによって指定された番組の番組ＥＰＧ情報（番組のタイトル、放送日時、放送内容等の番組を特定できるデータ）をもとに、ＥＰＧ情報取得手段２１１’により取得され、ＥＰＧ情報格納手段２１２’に格納されているテレビ受信機一体型携帯電話装置１１０’によって受信可能な放送波全てのＥＰＧ情報を照会し、ユーザによって指定された番組が通話相手側で受信可能な放送波全ての番組の中にあるか否かを確認する（ステップＳ１００７，Ｓ１００８）。この確認の結果、ユーザによって指定された番組が通話相手側で受信可能な放送波全ての番組の中にあった場合は、ユーザによって指定された番組に対する通話相手側で受信可能な対応番組の番組ＥＰＧ情報（番組のタイトル、放送日時、放送内容等の番組を特定できるデータ）は、制御部／信号処理部２３１’によって、不揮発性メモリ２３２’又はＲＡＭ２３３’に記録される。
【０３７０】
この番組特定手段２０７’による確認結果に基づき、テレビ受信機部２００’の制御部／信号処理部２３１’は、ユーザによって指定されたテレビ番組が通話相手側で受信可能な番組の中にある場合は、現在、視聴可能であるか否かを判断する（ステップＳ１００９，Ｓ１０１０）。この場合、制御部／信号処理部２３１’は、不揮発性メモリ２３２’又はＲＡＭ２３３’に記録した対応番組の番組ＥＰＧ情報を読み出し、この特定された対応番組が現在放送中の番組か、今後に放送予定の番組であるかを判断する。
【０３７１】
本実施の形態では、この現在放送中の番組か、今後に放送予定の番組であるかの判断は、例えば、選局情報設定手段２０４’又はＥＰＧ情報設定手段２１３’の既存設定内容に基づき、アンテナ２４１’を介してチューナ／復調部２０１’によって受信される現状の放送波のＳＩ情報の中のＴＯＴ情報に含まれる現在時刻情報と、特定された対応番組の番組ＥＰＧ情報に含まれる番組の放送日時情報を比較することによって判断する。
【０３７２】
これにより、特定された対応番組が現在放送中であると判断された場合は、テレビ受信機部２００’の制御部／信号処理部２３１’は、この特定された対応番組の番組ＥＰＧ情報をＥＰＧ情報設定手段２１３’に供給し、このＥＰＧ情報設定手段２１３’に設定された対応番組の番組ＥＰＧ情報に基づいてチューナ／復調部２０１’を作動させて、特定された対応番組をテレビ受信機表示部２４２’に表示し、ユーザによって指定されたテレビ番組を視聴可能な状態にする（ステップＳ１０１１）。
【０３７３】
これに対し、特定された対応番組が今後に放送予定の番組であると判断された場合は、テレビ受信機部２００’の制御部／信号処理部２３１’は、この特定された対応番組の番組ＥＰＧ情報を視聴予約手段２１５’又は番組記録予約手段２１６’に供給し、番組の放送日時における視聴予約又は番組記録予約を設定する（ステップＳ１０１２）。
【０３７４】
ここで、視聴予約手段２１５’及び番組記録予約手段２１６’について説明すれば、視聴予約手段２１５’は、設定された番組のＥＰＧ情報に基づき、例えばその放送日時になると、例えば、制御部／信号処理部２３１’によってその旨をテレビ受信機表示部２４２’に表示させたり、設定された番組を受信してテレビ受信機表示部２４２’等に表示させたり等、設定された番組の視聴し忘れの防止をはかる。また、番組記録予約手段２１６’は、設定された番組のＥＰＧ情報に基づき、例えばその放送日時になると、例えば、電源をＯＮし、制御部／信号処理部２３１’によって番組記録手段２１７’を制御し、その設定された番組をその不揮発性メモリ２３２’等に自動記録させる。
【０３７５】
なお、視聴予約や録画予約する場所や機器については、テレビ受信機一体型携帯電話装置１１０’におけるテレビ受信機表示部２４２’や不揮発性メモリ２３２’に限るものではなく、さらに携帯電話部２００’に設けられた記録番組受信手段３１７’及び記録番組送出手段３１８’を利用して別のテレビ受信機一体型携帯電話装置１１０”や別の機器にその設定された番組の映像／音声データを送出し、別のテレビ受信機一体型携帯電話装置１１０”や別の機器によって視聴や録画することも可能である。
【０３７６】
この場合、別の機器の選択は、前述のステップＳ１００９，Ｓ１０１０による今後に放送予定の番組であると判断時やその放送日時に、テレビ受信機表示部２４２’又は携帯電話表示部３４２’に、予め設定され不揮発性メモリ２３２’又は３３２’に記録された複数の映像／音声データの送出先を表示し、この中から所望の送出先を操作部３４４’を操作して選択することで行うことができ、また、前述の判断時やその放送日時とは関係なしに、予め不揮発性メモリ２３２’又は３３２’に所望の送出先を予め設定しておき、この設定された機器に対して自動的に番組の映像／音声データを送出することも可能である。
【０３７７】
また、視聴予約又は録画予約する特定された対応番組のＥＰＧ情報の記録先や、録画予約され番組記録手段２１７’によって記録される映像／音声データの記録先については、不揮発性メモリ２３２’又はＲＡＭ２３３’に限らず、小型化かつ利便性がはかれテレビ受信機一体型携帯電話装置１１０”に対して取り外しが可能なメモリーカード等の記録メディアを用いてもよい。
【０３７８】
また、記録番組受信手段３１７’及び記録番組送出手段３１８’による映像／音声データの送出については、メールや他の通信手段（例えば、赤外線通信、Bluetooth通信等の無線通信手段）を別途設けて、ビデオレコーダー，ホームサーバー，パーソナルコンピュータ，ネットワーク対応のテレビといった外部機器に対して送出し、これら外部機器によって特定された対応番組を視聴又は記録することも可能である。
【０３７９】
これにより、通話相手側でユーザによって指定された番組が自動的に選局され、視聴できるようになる。
【０３８０】
一方、前述のステップＳ１００７，Ｓ１００８において、ユーザによって指定された番組の対応番組が無かった場合には、テレビ受信機部２００’の制御部／信号処理部２３１’は、テレビ受信機表示部２４２’に、指定された番組が視聴できないことを示す、例えば『＊＊＊＊さんより指定された番組（※※※※）は受信できません』といったメッセージを画面表示する（ステップＳ１０１３）。
【０３８１】
なお、このメッセージ表示の代わりに、携帯電話部３００’の携帯電話表示部３４２’にアイコンを表示したり、マイク／スピーカ３４３’から音声でメッセージ等を流したりしてもよい。また、携帯電話表示部３４２’の画面特定部分の色を変えたり、ＬＥＤを点灯させたり、フラッシングさせたりしてもよい。さらには、図１０では図示省略した着信報知のための振動手段や鳴音手段を作動させることによって、テレビ受信機一体型携帯電話装置１１０’の携帯者である通話相手に明示的に知らせるようにしてもよい。
【０３８２】
この第１０の実施の形態により、ユーザが特定した相手が、ユーザと同じ放送波を受信できる地域にいる場合でも、いない場合でも、ユーザが特定した番組の番組ＥＰＧ情報を含む番組ＥＰＧ情報送信メールを相手に送信することにより、相手側で受信可能な番組の中からユーザが特定した番組に該当する番組を特定することができ、相手側でユーザが特定した番組を視聴することができる。
【０３８３】
さらに、本実施の形態は、ユーザが特定した相手への選局情報の送信は、メールに選局情報とユーザの位置情報データを添付したメールを送付することより行う構成なので、相手側がユーザからの電話呼び出しに対してすぐに応答できず、ユーザ側のテレビ受信機一体型携帯電話装置１１０と相手方のテレビ受信機一体型携帯電話装置１１０'との間の通話接続がはかれない状況であっても、その対応が容易にはかれる。
【０３８４】
例えば、ユーザが特定した相手がユーザ以外の第三者と電話中である等といった理由で、ユーザからの電話呼び出しに対してすぐに応答できない場合であっても、ユーザは、相手のテレビ受信機一体型携帯電話装置１１０'との間の回線接続に関係なく、選局情報を相手側に送信しておくことができる。また、相手も、例えば、第三者と電話が終了する等によって、ユーザからの電話呼び出しに対しては応答できなかったものの、メールが受信できるようになりさえすれば、ユーザが特定したテレビ番組を視聴できるようになる。
【０３８５】
なお、本実施の形態では、番組ＥＰＧ情報送信メールを生成して送信するユーザ側のテレビ受信機、及びユーザ側からの番組ＥＰＧ情報送信メールを受信してユーザ側が視聴しているテレビ番組と同じテレビ番組を視聴するメール送信相手側のテレビ受信機のいずれとも、電話（通話）機能を備えたテレビ受信機一体型携帯電話装置１１０，１１０'と説明したが、ユーザ側のテレビ受信機及びメール送信相手側のテレビ受信機は、メールの送信／受信が可能な通信機能を備えているものであるならば、電話（通話）機能を備えていなくてもよく、テレビ受信機能及び通信機能を備えたＰＤＡ，モバイルＰＣ等といったものであってもよい。
【０３８６】
また、本実施の形態では、メール送信相手側のテレビ受信機では、選局情報送信メールの開封時に、ユーザが視聴しているテレビ番組を放送している放送波と同系列局の放送波を選局させる番組情報伝達構成としたが、選局情報送信メールの受信時に、受信したメールが選局情報送信メールであり、ユーザが視聴しているテレビ番組を放送している放送波と同系列局の放送波の受信を開始するか否か、すなわち選局情報送信メールの開封をメール送信相手に確認する構成を備えていてもよい。
【０３８７】
＜第１１の実施の形態＞
図１４は、本発明の第１１の実施の形態による番組情報送信局側のテレビ受信機一体型携帯電話装置の構成図である。
【０３８８】
図１５は、本発明の第１１の実施の形態による番組情報送信局側のテレビ受信機一体型携帯電話装置に対する、番組情報受信局側の携帯電話装置の実施例の構成図である。
【０３８９】
なお、本実施の形態のテレビ受信機一体型携帯電話装置１１１，及びこのテレビ受信機一体型携帯電話装置１１１に対しての携帯電話装置１１２の説明にあたっては、図１，図６，図１０に示した第１，第５，第８の実施の形態によるテレビ受信機一体型携帯電話装置１０１，１０５，１０８と同一又は同様な構成部分については、同一符号を付してその詳細な説明は省略する。
【０３９０】
図１４に示した番組情報送信局側のテレビ受信機一体型携帯電話装置１１１の場合は、第１，第５，第８の実施の形態によるテレビ受信機一体型携帯電話装置１０１，１０５，１０８に示した構成に加えて、携帯電話部３００に端末情報受信手段３１５，端末情報送出手段３１６，記録番組送出手段３１８を備えた構成になっている。
【０３９１】
図１５に示した番組情報受信局側の携帯電話装置１１２の場合は、番組情報送信局側のテレビ受信機一体型携帯電話装置１１１と異なり、テレビ受信機部２００を備えず、その携帯電話部３００も、このことに関連して、選局情報受信手段３０２，選局情報送出手段３０３，地域コード変換手段３０８，ＥＰＧ情報受信手段３１１，ＥＰＧ情報送出手段３１２，選局確認手段３２１，選局情報抽出手段３２２が備えられておらず、代わりに端末情報送出手段３１６及び記録番組受信手段３１７を備えた構成になっている。
【０３９２】
次に、本実施の形態のテレビ受信機一体型携帯電話装置１１１において、ユーザが現在視聴中のテレビ番組の情報を通話相手の番組情報受信局側のテレビ受信機一体型携帯電話装置１１１又は携帯電話装置１１２に送信する場合の番組情報伝達構成について、図１４，図１５及び図１６を参照しながら詳細に説明する。
【０３９３】
なお、その説明に当たっては、図１４に示した本実施の形態によるテレビ受信機一体型携帯電話装置１１１及びその各部に関し、ユーザ側すなわち番組情報送信局側のテレビ受信機一体型携帯電話装置としてではなく、通話相手側すなわち番組情報受信局側のテレビ受信機一体型携帯電話装置として機能する場合については、図１４の各部に付した符号数字にダッシュ（ ’）を付して表わし、番組情報送信局側である場合と番組情報受信局側である場合とで区別して説明する。また、番組情報受信局側の携帯電話装置１１２の各部に関しては、図１５の各部に付した符号数字にダッシュ（ ’）を付して表わし、図１４に示したテレビ受信機一体型携帯電話装置１１１の各部とで区別して説明する。
【０３９４】
本実施の形態の番組情報伝達構成では、ユーザが、テレビ受信機一体型携帯電話装置１１１でテレビ番組を視聴しているときに、着呼又は発呼によって特定の相手と通話を行っている場合に、通話相手の携帯電話装置１１１’又は１１２’がテレビ受信機能を備えているか否か等を判断して、テレビ受信機能を備えていない又はテレビ受信機能を利用できない携帯電話装置１１２’であれば、現在視聴中のテレビ番組を記録し、記録したデータを通話相手の携帯電話装置１１２’に送信することを想定している。
【０３９５】
図１６は、本実施の形態によるテレビ受信機一体型携帯電話装置における番組情報伝達構成を示したフローチャートである。
【０３９６】
ユーザ側、すなわち番組情報送信局側のテレビ受信機一体型携帯電話装置１１１では、テレビ受信機部２００によるテレビ放送の視聴中に、携帯電話部３００によって通話が行われている場合は、テレビ受信機部２００の選局情報取得手段２０２によって、現在視聴中のテレビ番組を放送している放送波の選局情報（例えば、ＰＳＩ情報の中の“network_id”，“transport_stream_id”，及び“service_id”）の取得が行われる（ステップＳ１１０１）。この取得された選局情報は、制御部／信号処理部２３１によって、選局情報格納手段２０３に記録される。
【０３９７】
そこで、ユーザは、自身が視聴しているテレビ番組を放送している放送波と同じ放送波を通話相手側に選局させたい場合は、テレビ受信機一体型携帯電話装置１１１の携帯電話部３００の通信モード切替え手段３０９を、通話モードからデータ通信モードに切替える（ステップＳ１１０２）。この切替えは、例えば、ユーザ側のテレビ受信機一体型携帯電話装置１１１で、その携帯電話部３００の操作部３４４をユーザが所定操作することにより行われる。これにより、テレビ受信機一体型携帯電話装置１１１では、通信モード切替え手段３０９が、その制御部／信号処理部３３１を通話モードからデータ通信モードに切替え、通話相手側のテレビ受信機一体型携帯電話装置１１１’又は１１２’との間でデータ通信モードを確立する。
【０３９８】
そして、ユーザ側のテレビ受信機一体型携帯電話装置１１１では、通話相手側とのデータ通信モードが確立されると、本実施の形態の場合は、携帯電話部３００の制御部／信号処理部３３１は、通話相手側の端末情報の送信要求を生成し、この生成した端末情報送信要求に符号化といった必要な処理を施した後、無線送受信回路部３０１で変調し、アンテナ３４１からこの登録基地局データの送信要求を含む通信電波を携帯基地局７００（ユーザ側の登録基地局に対応する）に向けて送出する（ステップＳ１１０３）。
【０３９９】
これに対し、同じくユーザ側との間でデータ通信モードが確立された通話相手側の携帯電話装置１１１’又は１１２’の携帯電話部３００’では、ユーザ側から供給された端末情報送信要求は、制御部／信号処理部３３１’により、端末情報送出手段３１６’に供給され、端末情報送信データが生成される。ここで、端末情報には、例えば、通話相手側の携帯電話装置１１１’又は１１２’自身がテレビ受信機部２００’を備えているか否か、テレビ受信機部２００’を備えてテレビ受信機能を搭載しているとすれば、アナログ、デジタル等といったどの放送形式が受信可能か、また、例えば選局情報受信手段３０２’やＥＰＧ情報受信手段３１１’といった選局情報受信機能を搭載しているか、等の情報が含まれる。ここで、端末情報は、例えば、予め不揮発性メモリ３３２’に設定記録されている。この生成された端末情報送信データは、制御部／信号処理部３３１’により符号化といった必要な処理が施され、無線送受信回路部３０１’で変調され、アンテナ３４１’から携帯基地局７００’（通話相手側の登録基地局）に向けて送出される（ステップＳ１１０４）。
【０４００】
ユーザ側のテレビ受信機一体型携帯電話装置１１１の携帯電話部３００では、通話相手から受信した端末情報送信データは、制御部／信号処理部３３１によって端末情報受信手段３１５に供給され、端末情報受信手段３１５は、端末情報送信データに含まれている通話相手の携帯電話装置１１１’又は１１２’がテレビ受信機部２００を備えているか否か、等といった端末情報を、制御部／信号処理部３３１を介して、携帯電話部３００の不揮発性メモリ３３２又はＲＡＭ３３３に記録し、携帯電話装置１１１’又は１１２’の端末情報を取得する（ステップＳ１１０５）。
【０４０１】
そして、テレビ受信機一体型携帯電話装置１１１の携帯電話部３００では、制御部／信号処理部３３１が、不揮発性メモリ２３２又はＲＡＭ３３３へ記録した端末情報を読み出し、この端末情報に基づいて、通話相手の携帯電話装置１１１’又は１１２’がテレビ受信機能（テレビ受信機２００’）を搭載しているか否かを判断し（ステップＳ１１０６）、もしテレビ受信機能を搭載している携帯電話装置１１１’であるならば、選局情報受信機能を搭載しているか否かを確認する（ステップＳ１１０７）。
【０４０２】
仮に、通話相手の携帯電話装置が、テレビ受信機能を搭載し、さらに選局情報受信機能を搭載しているユーザ側と同様な構成のテレビ受信機一体型携帯電話装置１１１’であるならば、例えば、ユーザ側のテレビ受信機一体型携帯電話装置１１１及び通話相手側のテレビ受信機一体型携帯電話装置１１１’は、例えば、前述の図２に示した第１の実施の形態によるテレビ受信機一体型携帯電話装置１０１の番組情報伝達構成におけるステップＳ１０３以降の処理（ステップＳ１０３〜Ｓ１１１）と同様にして、ステップＳ１１０８（ステップＳ１０３に対応）〜ステップＳ１１１６（ステップＳ１１１に対応）の処理を行う。
【０４０３】
すなわち、ユーザ側のテレビ受信機一体型携帯電話装置１１１から通話相手のテレビ受信機一体型携帯電話装置１１１’に選局情報送出データが送信され（ステップＳ１１０８）、通話相手側のテレビ受信機一体型携帯電話装置１１１’ではこの選局情報送出データを受信し、不揮発性メモリ２３２’又はＲＡＭ２３３にその選局情報を記録し（ステップＳ１１０９）、この選局情報を選局情報設定手段２０４に供給してチューナ／復調部２０１を設定し（ステップＳ１１１０）、ユーザが指定した番組が通話相手側であるか否かに応じて（ステップＳ１１１１）、その視聴が可能な状態にし（ステップＳ１１１２）、又はその視聴ができないことを通話相手に報知する（ステップＳ１１１３）。そして、通話相手のテレビ受信機一体型携帯電話装置１１１’からユーザ側のテレビ受信機一体型携帯電話装置１１１へは、ユーザが指定した番組が通話相手側で視聴可能であったか否かを示す選局確認送出データが送信され（ステップＳ１１１４）、ユーザ側のテレビ受信機一体型携帯電話装置１１１では、この通話相手からの選局確認結果が報知され（ステップＳ１１１５）、通話相手との間の通信をデータ通信モードから通話モードに復帰させる（ステップＳ１１１６）。
【０４０４】
これに対し、通話相手の携帯電話装置が、例えば携帯電話装置１１２’のようなテレビ受信機能を搭載していないものであったり、テレビ受信機能を搭載していても選局情報受信機能を搭載していないものであったりした場合は、ユーザ側のテレビ受信機一体型携帯電話装置１１１及び通話相手側の携帯電話装置１１２’は、次のような処理を行う。
【０４０５】
ユーザ側のテレビ受信機一体型携帯電話装置１１１のテレビ受信機部２００では、制御部／信号処理部２３１が、番組記録手段２１７を作動させて、ユーザ側で現在視聴中のテレビ番組のデータを記録する（ステップＳ１１１７）。ここで、記録する番組のデータ形式は、例えばトランスポートストリームＴＳ形式のデータであり、その記録媒体は、例えば内蔵の不揮発性メモリ２３２や、外付けのハードディスクドライブ等の記録メディアである。
【０４０６】
これに伴い、ユーザ側のテレビ受信機一体型携帯電話装置１１１の携帯電話部３００では、制御部／信号処理部３３１は、テレビ受信機部２００の制御部／信号処理部２３１を介して、例えば不揮発性メモリ２３２に記録されているユーザ側で現在視聴中のテレビ番組の記録データを随時読み出して、記録番組送出手段３１８に供給する。記録番組送出手段３１８では、逐次、現在視聴中のテレビ番組の記録データに基づき、記録番組送出データを生成し、制御部／信号処理部３３１は、この生成された記録番組送出データに符号化といった必要な処理を施し、無線送受信回路部３０１に供給し、無線送受信回路部３０１はこれに変調を施して、アンテナ３４１から携帯基地局７００に向けて記録番組送出データを含む通信電波を送出する（ステップＳ１１１８）。
【０４０７】
これに対し、通信モード切替え手段３０９の作動によってユーザ側のテレビ受信機一体型携帯電話装置１１１との間でデータ通信モードが確立された通話相手側の携帯電話装置１１２’では、携帯電話基地局７００’から送信される通信電波を、アンテナ３４１’を介して、無線送受信回路３０１’で検波，復調，誤り訂正といった必要な処理が施して受信し、制御部／信号処理部３３１’によって受信データの復号が行われ、制御部／信号処理部３３１’は受信データが記録番組送出データである場合は、これを記録番組受信手段３１７’に供給する（ステップＳ１１１９）。
【０４０８】
記録番組受信手段３１７’は、この記録番組送出データからユーザが現在視聴中のテレビ番組の記録データ（静止画又は動画データ）を抽出し、制御部／信号処理部３３１’を介して、例えば、不揮発性メモリ３３２’や、図示せぬ着脱可能な外付けのメモリーカードやハードディスクドライブ等の記録メディア等に記録し、後で、例えば、操作部３４４の所定操作によって、携帯電話表示部３４２及びマイク／スピーカ３４３により、視聴が可能であるであるように保存する（ステップＳ１１２０）。
【０４０９】
そして、制御部／信号処理部３３１’は、ユーザが現在視聴中のテレビ番組の記録データ（静止画又は動画データ）の不揮発性メモリ３３２’への記録が完了すると、通信モード切替え手段３０９’を、データ通信モードから通話モードに切替える（ステップＳ１１２１）。
【０４１０】
これにより、携帯電話装置１１２’では、通信モード切替え手段３０９’が、その制御部／信号処理部３３１’を通話モードからデータ通信モードに切替え、前述したステップＳ１１０２の場合とは反対に、通話相手側の携帯電話装置１１２’から、ユーザ側のテレビ受信機一体型携帯電話装置１１１との間に通話モードを確立する。
【０４１１】
これにより、ユーザと通話相手との間では通話が再開可能になるとともに、通話相手側では、携帯電話装置１１２’に備えられた操作部３４４’の所定操作によって、記録したテレビ番組が例えば不揮発性メモリ３３２’等から呼び出されて、携帯電話表示部３４２’に表示され、またマイク／スピーカ３４３’から音声出力されて、通話相手側で視聴することができる（ステップＳ１１２２）。
【０４１２】
上述した本実施の形態においては、テレビ受信機能を搭載していない通話相手の携帯電話装置１１２’に直ぐに視聴中の番組の内容を伝えたい場合には、番組のトランスポートストリームＴＳデータだけではなく、番組の１シーンの静止画データを送るようにすれば、その場で相手が静止画を見ることが可能である。
【０４１３】
この場合、静止画データは、例えばＪＰＥＧ形式で圧縮されたデータを使用すれば、ＪＰＥＧデコーダを搭載している携帯電話装置では、その場で静止画を見ることが可能である。
【０４１４】
また、上述した実施の形態における、ステップＳ１１０１及びステップＳ１１０８〜Ｓ１１１６に示した、通話相手側の携帯電話装置がテレビ受信機部２００等を備えている場合の処理については、通話相手側の携帯電話装置が、例えば前述した第２の実施の形態によるテレビ受信機一体型携帯電話装置１０２’であるか、第３の実施の形態によるテレビ受信機一体型携帯電話装置１０３’であるか、第５の実施の形態によるテレビ受信機一体型携帯電話装置１０５’であるか、第６の実施の形態によるテレビ受信機一体型携帯電話装置１０６’であるか、第８の実施の形態によるテレビ受信機一体型携帯電話装置１０８’であるか、又は第９の実施の形態によるテレビ受信機一体型携帯電話装置１０９’であるか等に応じて、各実施の形態に応じた番組情報伝達構成（図３，図４，図７，図８，図１１，図１２参照）に変更可能である。
【０４１５】
このように、第１１の実施の形態によれば、通話相手がテレビ受信機能を搭載していない携帯電話装置１１２である場合でも、自局で記録した番組データを相手に送信することができる。
【０４１６】
また、図１４に示した第１１の実施の形態のテレビ受信機一体型携帯電話装置１１１の場合は、図示の如く、前述したそれ以前の実施の形態のテレビ受信機一体型携帯電話装置１０１〜１１０としての構成をも備え、第１〜第１０の実施の形態それぞれのテレビ受信機一体型携帯電話装置１０１〜１１０としても、独立に稼動できるシステム構成になっている。このため、上記第１１の実施の形態における説明では、説明簡便のため省略したが、通話相手のテレビ受信機又は携帯電話装置の形式に応じて、どの実施の形態に対応するモードで通信が行われるか、事前にその情報を通話相手のテレビ受信機又は携帯電話装置に送信し、ユーザ側と通話相手側との両装置間で確認できるようになっている。これにより、図１４に示したテレビ受信機一体型携帯電話装置１１１では、第１１の実施の形態による番組情報伝達構成に加えて、第１〜第１０の実施の形態による複数の番組情報伝達構成の各処理を統合することが可能となり、使い勝手が向上する。その一方で、図１４に示したテレビ受信機一体型携帯電話装置１１１では、システムとして多様性が欠如してしまうのを防止し、あらゆる場合の対応がはかれるように、具体的には、例えば、選局情報や番組ＥＰＧ情報等をテレビ受信機一体型携帯電話装置１１１から送出する前に、また通話相手に位置情報やＥＰＧ情報等を要求する際に、どのようなデータ通信が行われるか、その処理手順を指定する内容を規定した付加情報データを、テレビ受信機一体型携帯電話装置１１１から通話相手のテレビ受信機又は携帯電話装置に送信する構成になっている。これにより、通話相手のテレビ受信機又は携帯電話装置でも、この付加情報データを受信して、次にどのような処理（例えば、ユーザ側から送信されるものを受信するのか、ユーザ側に対して情報を送信すべきなのか等の処理）を行う必要があるかを速やかに解釈・判断し、適確に対応することができる。
【０４１７】
次に、上述したテレビ受信機一体型携帯電話装置１０１〜１１１のバッテリレベルについて、より詳細に説明する。
【０４１８】
上述したテレビ受信機一体型携帯電話装置１０１〜１１１では、テレビ受信機部２００の各部はテレビ受信機部専用バッテリ２２８によって駆動され、携帯電話部３００の各部は携帯電話部専用バッテリ３２８によって駆動される構成になっている。
【０４１９】
上述したテレビ受信機一体型携帯電話装置１０１〜１１１では、テレビ受信機部２００の各部と携帯電話部３００の各部とを独立した別々のバッテリ２２８，３２８で駆動することにより、テレビ視聴によりテレビ受信機一体型携帯電話装置１０１〜１１１の全電源を使い果たし、通話や通信ができなくなることを防止できる構成になっている。
【０４２０】
また、上述したテレビ受信機一体型携帯電話装置１０１〜１１１では、それぞれ独立させたバッテリ２２８，３２８を異なる容量のものを用い、テレビ受信機部専用バッテリ２２８の容量を携帯電話部専用バッテリ３２８よりも大きくして、バッテリ全体を構成することも可能である。さらに、この場合、容量画大きいテレビ受信機部専用バッテリ２２８を、携帯電話部３００の各部でも使用できる構成にすることも可能である。しかし、この場合も、携帯電話部専用バッテリ３２８は、専用のバッテリとして、テレビ受信機部２００側では使用できない構成になっている。
【０４２１】
上述したように、テレビ受信機一体型携帯電話装置１０１〜１１１では、テレビ受信機部２００側では使用できない携帯電話部専用バッテリ３２８を別に用意することで、テレビ視聴によりテレビ受信機一体型携帯電話装置１０１〜１１１の全電源を使い果たし、通話や通信ができなくなることを防止できる構成になっている。そして、テレビ視聴中に、テレビ受信機部専用バッテリ２２８の容量がなくなり、テレビが視聴できなくなりそうな時でも、携帯電話部専用バッテリ３２８は電力消費されないから、テレビ受信機一体型携帯電話装置１１１のように、端末情報送出手段３１６及び記録番組受信手段３１７を携帯電話部３００に備えている構成であれば、テレビ受信機部専用バッテリ２２８の容量がなくなり、自身でテレビが視聴できなくなっても、別のテレビ受信機一体型携帯電話装置１０１〜１１１からテレビ番組の記録データ（静止画又は動画データ）の受信を受けることは可能なので、視聴できなくなった番組部分を記録しておき、テレビ受信機部専用バッテリ２２８が回復された時点で、視聴できなくなった番組部分を視聴することもできる。
【０４２２】
また、携帯電話の頻繁な使用で携帯電話部専用バッテリ３２８の電力が低下してしまった場合でも、テレビ受信機部専用バッテリ２２８を、携帯電話部３００側でも使用できる構成としておけば、テレビ受信機部専用バッテリ２２８を携帯電話部専用バッテリ３２８の予備バッテリとして機能させることができ、大変使い勝手がよい。
【０４２３】
次に、上述したテレビ受信機一体型携帯電話装置１０１〜１１１において、テレビ受信機部専用バッテリ２２８と携帯電話部専用バッテリ３２８とを１つのバッテリによって共用化した場合の変形例について説明する。
【０４２４】
図１７は、上述したテレビ受信機一体型携帯電話装置において、テレビ受信機部バッテリと携帯電話部バッテリとを１つのバッテリによって共用化した場合の変形例の説明図である。
【０４２５】
図１７（ａ）は、テレビ受信機部バッテリと携帯電話部バッテリとを１つのバッテリによって共用化したテレビ受信機一体型携帯電話装置における、電源供給系統の構成図である。
【０４２６】
図１７（ｂ）は、共用化したバッテリの電圧変化状態とテレビ受信機一体型携帯電話装置各部への電圧供給状態との関係の説明図である。
【０４２７】
本例では、テレビ受信機部バッテリと携帯電話部バッテリとを１つのバッテリによって共用化して使用した場合で、テレビ受信機部２００が利用可能な最低電圧の閾値と携帯電話部３００が利用可能な最低電圧の閾値とが、それぞれ別々に設定されている場合が示されている。
【０４２８】
図１７（ａ）において、３５０は共用化されたバッテリで、バッテリ３５０は、第１のスイッチング回路３５１（以下、ＳＷ１回路３５１と略称する）を介してテレビ受信機部２００に接続され、第２のスイッチング回路３５２（以下、ＳＷ２回路３５２と略称する）を介して携帯電話部３００に接続され、各部２００，３００に駆動用の電源を供給する構成する構成になっている。
【０４２９】
そして、ＳＷ１回路３５１及びＳＷ２回路３５２は、携帯電話部３００の制御部／信号処理部３３１から供給される制御信号に基づいて、バッテリ３５０とテレビ受信機部２００との間及びバッテリ３５０と携帯電話部３００との間を、接続又は遮断できる構成になっている。
【０４３０】
また、バッテリ３５０は、バッテリレベル低下検出部３６３にも接続されている。本例では、バッテリレベル低下検出部３６３には、テレビ受信機部２００の利用可能な最低電圧ＶＴＶ、通話又はデータ通信を行うために携帯電話部３００の利用可能な最低電圧ＶＴＥＬが、予め検出対象の閾値として設定されている。
【０４３１】
そして、これら閾値電圧ＶＴＶ、ＶＴＥＬ相互の大きさ関係は、
ＶＴＶ＞ＶＴＥＬ 
となっている。
【０４３２】
バッテリレベル低下検出部３６３は、バッテリ３５０の電圧がこれら閾値電圧ＶＴＶ、ＶＴＥＬに低下したのをそれぞれ検出して、検出信号を携帯電話部３００の制御部／信号処理部３３１に出力する構成になっている。
【０４３３】
制御部／信号処理部３３１は、バッテリレベル低下検出部３６３からの検出信号に基づき検出したバッテリ３５０の電圧が、閾値電圧ＶＴＶ以上の場合は、ＳＷ１回路３６１及びＳＷ２回路３６２をともにＯＮ状態（接続状態）にして、テレビ受信機部２００及び携帯電話部３００にバッテリ３５０から電源を供給する構成になっている。これにより、テレビ受信機一体型携帯電話装置１０１〜１１１は、テレビ放送の視聴は可能であり、通話又はデータ通信も可能な状態になる。
【０４３４】
また、制御部／信号処理部３３１は、バッテリレベル低下検出部３６３からの検出信号に基づき検出したバッテリ３５０の電圧が、閾値電圧ＶＴＶよりも低下したものの、閾値電圧ＶＴＥＬ以上である場合は、ＳＷ１回路３６１をＯＦＦ状態（遮断状態）にし、ＳＷ２回路３６２をＯＮ状態にすることにより、テレビ受信機部２００へのバッテリ３５０からの電源供給だけを停止させる構成になっている。これにより、テレビ受信機一体型携帯電話装置１０１〜１１１は、テレビ放送の視聴は禁止されて不可となり、そのＲＡＭ２３３（図１，図５，図１０，図１４参照）といった記憶系のみがデータ保持可能な状態にされるものの、通話又はデータ通信のみが可能な状態になる。
【０４３５】
さらに、制御部／信号処理部３３１は、バッテリレベル低下検出部３６３からの検出信号に基づき検出したバッテリ３５０の電圧が、閾値電圧ＶＴＥＬよりも低下している場合は、ＳＷ１回路３６１及びＳＷ２回路３６２をともにＯＦＦ状態（接続状態）にして、さらに携帯電話部３００へのバッテリ３５０からの電源供給も停止させ、携帯電話部３００をパワーオフリセットする構成になっている。これにより、テレビ受信機一体型携帯電話装置１０１〜１１１は、テレビ放送の視聴だけではなく、通話及びデータ通信も禁止されて不可となり、バッテリ３５０からの電源供給によって、ＲＡＭ３３３（図１，図５，図１０，図１４参照）といった記憶系のみがデータ保存可能な状態になっている。
【０４３６】
図１７（ｂ）において、領域１は、テレビ放送の視聴と通話及びデータ通信との双方が自由に利用できるバッテリ３５０の電圧領域を示す。また、領域２は、通話及びデータ通信のみが利用可能なバッテリ３５０の電圧領域を示し、領域３は、テレビ放送の視聴も、通話及びデータ通信も行えないバッテリ３５０の電圧領域であり、制御系のみが動作可能な領域である。
【０４３７】
これにより、本例のテレビ受信機一体型携帯電話装置１０１〜１１１では、テレビ受信機部バッテリと携帯電話部バッテリとを１つのバッテリ３５０によって共用化した構成であっても、テレビ受信機部２００側で、バッテリ３５０の電力を全て使い切ってしまい、通話やデータ通信が行えなくなるのを防止できる。
【０４３８】
以上、説明したように、本発明のテレビ受信機及びテレビ受信機一体型携帯電話装置は構成されるが、本発明の実施の形態は上述した実施の形態に限定されるものではなく、各種の変形例が可能である。
【０４３９】
例えば、上述したテレビ受信機一体型携帯電話装置１０１〜１１１では、いずれも携帯電話表示部３４２とは別にテレビ受信機表示部２４２を備えた構成としたが、テレビ受信機表示部２４２を携帯電話表示部３４２によって共用し、携帯電話表示部３４２にテレビ番組を表示する構成としてもよい。
【０４４０】
また、図１及び図２に示したテレビ受信機一体型携帯電話装置１０１が、図３〜図５に示したテレビ受信機一体型携帯電話装置１０２〜１０４に備えられた番組情報伝達構成を併せ備えていても、図６及び図７に示したテレビ受信機一体型携帯電話装置１０５が、図８，図９に示したテレビ受信機一体型携帯電話装置１０６，１０７に備えられた番組情報伝達構成を併せ備えていても、図１０及び図１１に示したテレビ受信機一体型携帯電話装置１０８が、図１２，図１３に示したテレビ受信機一体型携帯電話装置１０９，１１０に備えられた番組情報伝達構成を併せ備えていても、図１４及び図１５に示したテレビ受信機一体型携帯電話装置１１１のように、図１〜図１３に示したテレビ受信機一体型携帯電話装置１０１〜１１０に備えられた番組情報伝達構成を併せ備えていてもよい。
【０４４１】
この場合について、図１０及び図１１に示したテレビ受信機一体型携帯電話装置１０８が、図１２，図１３に示したテレビ受信機一体型携帯電話装置１０９，１１０に備えられた番組情報伝達構成を併せ備えている場合を例に、その変形例を説明すれば、この場合、テレビ受信機一体型携帯電話装置１０８は、ユーザから通話相手に指定したテレビ番組の選局情報（番組ＥＰＧ情報）を送出する場合は、最初は図１１に示した番組情報伝達構成により送出を行い、この結果、通話相手側でユーザが指定したテレビ番組の視聴ができなかった場合には、図１２に示した番組情報伝達構成で送出することもできる。
【０４４２】
また、通話相手が、通常、ユーザと同じ放送地域に所在する人である場合には、ユーザ側で取得できる受信可能な放送波全てのＥＰＧ情報を、通話相手側で取得できる受信可能な放送波全てのＥＰＧ情報としてそのまま使用可能である。そこで、その携帯電話部３００に電話帳機能が備えられている場合には、通話相手の電話番号を電話帳機能に登録する際に、個々の通話相手に応じて、ユーザ自身と同じ放送地域に所在する人である場合は、予め電話帳にその旨の情報を設定しておく。これにより、ユーザから通話相手に指定したテレビ番組の選局情報（番組ＥＰＧ情報）を送出する場合は、この電話帳の通話相手の放送地域情報を参照し、ユーザ自身と同じ放送地域に所在する人であるならば、まず図１１に示した番組情報伝達構成により送出を行い、ユーザ自身と同じ放送地域に所在する人でないならば、最初から図１２に示した番組情報伝達構成で送出することもできる。
【０４４３】
さらに、この場合も、電話帳機能を利用せず、前述したように、最初は図１１に示した番組情報伝達構成により送出を行い、この結果、通話相手側でユーザが指定したテレビ番組の視聴ができなかった場合には、図１２に示した番組情報伝達構成で送出するようにし、その際に、通話相手毎に対応させて、図１２に示した番組情報伝達構成で送出せずに済んだか否かの統計データを蓄積し、この統計データに基づき、通話相手によっては、最初から、図１２に示した番組情報伝達構成で送出するようにすることも可能である。
【図面の簡単な説明】
【０４４４】
【図１】本発明の第１の実施の形態によるテレビ受信機一体型携帯電話装置の構成図である。
【図２】本発明の第１の実施の形態によるテレビ受信機一体型携帯電話装置における番組情報伝達構成を示すフローチャートである。
【図３】本発明の第２の実施の形態によるテレビ受信機一体型携帯電話装置における番組情報伝達構成を示すフローチャートである。
【図４】本発明の第３の実施の形態によるテレビ受信機一体型携帯電話装置における番組情報伝達構成を示したフローチャートである。
【図５】本発明の第４の実施の形態によるテレビ受信機一体型携帯電話装置における番組情報伝達構成を示したフローチャートである。
【図６】本発明の第５の実施の形態によるテレビ受信機一体型携帯電話装置の構成図である。
【図７】本発明の第５の実施の形態によるテレビ受信機一体型携帯電話装置における番組情報伝達構成を示したフローチャートである。
【図８】本発明の第６の実施の形態によるテレビ受信機一体型携帯電話装置における番組情報伝達構成を示したフローチャートである。
【図９】本発明の第７の実施の形態によるテレビ受信機一体型携帯電話装置における番組情報伝達構成を示したフローチャートである。
【図１０】本発明の第８の実施の形態によるテレビ受信機一体型携帯電話装置の構成図である。
【図１１】本発明の第８の実施の形態によるテレビ受信機一体型携帯電話装置における番組情報伝達構成を示したフローチャートである。
【図１２】本発明の第９の実施の形態によるテレビ受信機一体型携帯電話装置における番組情報伝達構成を示したフローチャートである。
【図１３】本発明の第１０の実施の形態によるテレビ受信機一体型携帯電話装置における番組情報伝達構成を示したフローチャートである。
【図１４】本発明の第１１の実施の形態による番組情報送信局側のテレビ受信機一体型携帯電話装置の構成図である。
【図１５】本発明の第１１の実施の形態による番組情報送信局側のテレビ受信機一体型携帯電話装置に対する、番組情報受信局側の携帯電話装置の実施例の構成図である。
【図１６】本発明の第１１の実施の形態によるテレビ受信機一体型携帯電話装置における番組情報伝達構成を示したフローチャートである。
【図１７】テレビ受信機一体型携帯電話装置において、テレビ受信機部バッテリと携帯電話部バッテリとを１つのバッテリによって共用化した場合の変形例の説明図である。
【符号の説明】
【０４４５】
１０１〜１１１ テレビ一体型携帯電話装置
１１２ 携帯電話装置
２００ テレビ受信機部
２０１ チューナ／復調部
２０２ 選局情報取得手段
２０３ 選局情報格納手段
２０４ 選局情報設定手段
２０５ チューナプリセットデータ取得手段
２０６ 同系列局特定手段
２０７ 番組特定手段
２０８ チューナプリセットデータ取得手段
２１１ ＥＰＧ情報取得手段
２１２ ＥＰＧ情報格納手段
２１３ ＥＰＧ情報設定手段
２１５ 視聴予約手段
２１６ 番組記録予約手段
２１７ 番組記録手段
２２８ テレビ受信機部専用バッテリ
２３１ 制御部／信号処理部
２３２ 不揮発性メモ
２３３ ＲＡＭ
２３４ ＲＯＭ
２４１ アンテナ
２４２ テレビ受信機表示部
３００ 携帯電話部
３０１ 無線送受信回路部
３０２ 選局情報受信手段
３０３ 選局情報送出手段
３０５ 基地局データ受信手段
３０６ 基地局データ格納手段
３０７ 基地局データ送出手段
３０８ 地域コード変換手段
３０９ 通信モード切替え手段
３１１ ＥＰＧ情報受信手段
３１２ ＥＰＧ情報送出手段
３１５ 端末情報受信手段
３１６ 端末情報送出手段
３１７ 記録番組受信手段
３１８ 記録番組送出手段
３１９ メール受信手段
３２０ メール送信手段
３２１ 選局確認手段
３２２ 選局情報抽出手段
３２３ ＧＰＳ受信手段
３２４ 位置情報データ格納手段
３２５ 位置情報データ受信手段
３２６ 位置情報データ送出手段
３２８ 携帯電話部専用バッテリ
３３１ 制御部／信号処理部
３３２ 不揮発性メモリ
３３３ ＲＡＭ
３３４ ＲＯＭ
３４１ アンテナ
３４２ 携帯電話表示部
３４３ マイク／スピーカ
３４４ 操作部
３５０ バッテリ
３６１ 第１のスイッチング回路（ＳＷ１回路）
３６２ 第２のスイッチング回路（ＳＷ２回路）
３６３ バッテリレベル低下検出部
７００ 基地局
【図１】
0004653197.tif 000002
【図２】
0004653197.tif 000003
【図３】
0004653197.tif 000004
【図４】
0004653197.tif 000005
【図５】
0004653197.tif 000006
【図６】
0004653197.tif 000007
【図７】
0004653197.tif 000008
【図８】
0004653197.tif 000009
【図９】
0004653197.tif 000010
【図１０】
0004653197.tif 000011
【図１１】
0004653197.tif 000012
【図１２】
0004653197.tif 000013
【図１３】
0004653197.tif 000014
【図１４】
0004653197.tif 000015
【図１５】
0004653197.tif 000016
【図１６】
0004653197.tif 000017
【図１７】
0004653197.tif 000018